(57)【要約】【課題】本発明は、移動通信端末の位置情報を送るための方法に関し、より詳細には、所定の端末にとって位置情報サービスを利用して自分の位置情報を獲得するか、または前記所定の端末にとって自分の位置情報を他の端末に知らせるように許容する、位置情報を效果的に送るための方法を提供する。【解決手段】特定端末が自分の位置情報を獲得するか、または特定端末自分の位置情報を他の特定端末に送るためのさらに效率的な位置情報送信方法を提供する。また、位置情報を送るための方法は、第１端末から移動型位置要請（ＭＯ：Ｍｏｂｉｌｅ  Ｏｒｉｅｎｔｅｄ  Ｌｏｃａｔｉｏｎ  Ｒｅｑｕｅｓｔ）モード情報を含んだ開始メッセージを受信する段階と、前記第１端末の位置情報を計算する段階と、及び前記移動型位置要請モード情報によって前記計算された第１端末の位置情報を送る段階を含む。【選択図】図１Ａ
2009503915.tif 000002
【特許請求の範囲】
【請求項１】
端末開始位置要請（ＭＯ）モード情報を含んだ開始メッセージを第１端末から受信する段階と、
前記第１端末の位置情報を計算する段階と、及び
前記端末開始位置要請モード情報によって計算された第１端末の位置情報を送信する段階と、を含むことを特徴とする位置情報送信方法。
【請求項２】
端末開始位置要請モード情報は、位置追跡を開始する第１端末が自分の位置情報を要請するタイプ１（Ｔｙｐｅ  １）モードと、位置追跡を開始する第１端末が自分の位置情報を第２端末に送ることを願うタイプ２（Ｔｙｐｅ  ２）モードのうちでいずれかひとつであることを特徴とする請求項１に記載の位置情報送信方法。
【請求項３】
端末開始位置要請モード情報がタイプ１モードである場合に、計算された第１端末の位置情報が第１端末に送信されることを特徴とする請求項１に記載の位置情報送信方法。
【請求項４】
端末開始位置要請モード情報がタイプ２モードである場合に、計算された第１端末の位置情報が第２端末に送信されることを特徴とする請求項１に記載の位置情報送信方法。
【請求項５】
端末開始位置要請モード情報がタイプ２モードである場合に、開始メッセージが第２端末のＩＤ（Ｉｄｅｎｔｉｆｉｅｒ）情報を含むことを特徴とする請求項１に記載の位置情報送信方法。
【請求項６】
端末開始位置要請モード情報がタイプ２モードである場合に、開始メッセージが位置情報受信確認モード情報（ＡＣＫ  ｍｏｄｅ  ｉｎｆｏｒｍａｔｉｏｎ）を含むことを特徴とする請求項１に記載の位置情報送信方法。
【請求項７】
第１端末が位置情報受信確認モード情報を利用して自分の位置情報の受信を示す位置情報受信確認信号を受信して要請する場合に、前記第１端末の位置情報を受信した第２端末が前記位置情報受信確認信号を前記第１端末に送信することを特徴とする請求項６に記載の位置情報送信方法。
【請求項８】
開始メッセージは、ユーザープレーン位置プロトコルメッセージであることを特徴とする請求項１に記載の位置情報送信方法。
【請求項９】
第１端末の位置情報を計算する段階は、位置計算方法と、第１端末とサーバーとの間に決定された位置追跡プロトコルを使用してて第１端末の位置情報を計算する段階を含むことを特徴とする請求項１に記載の位置情報送信方法。
【請求項１０】
サーバーがサーバー管理部と位置計算部を含んで、第１端末が前記位置計算部と直接通信して自分の位置情報を獲得する場合に、前記サーバー管理部は開始メッセージを受信して、前記位置計算部と第１端末との間に位置追跡を遂行して前記第１端末の位置情報を計算して、前記第１端末の位置情報を第２端末に送信することを特徴とする請求項９に記載の位置情報送信方法。
【請求項１１】
第１ＳＥＴ（ＳＵＰＬ  Ｅｎａｂｌｅｄ  Ｔｅｒｍｉｎａｌ）、ＳＬＰ（ＳＵＰＬ  Ｌｏｃａｔｉｏｎ  Ｐｌａｔｆｏｒｍ）、及び第２ＳＥＴのＳＵＰＬ（Ｓｅｃｕｒｅ  Ｕｓｅｒ  Ｐｌａｎｅ  Ｌｏｃａｔｉｏｎ）の位置情報送信方法において、
端末開始位置要請モード情報を含んだ開始メッセージを前記第１ＳＥＴから受信する段階と、
前記第１ＳＥＴの位置情報を計算する段階と、及び
前記端末開始位置要請モード情報によって計算された第１ＳＥＴの位置情報を第１ＳＥＴと第２ＳＥＴのうちでいずれか一つに送信する段階と、を含むことを特徴とする位置情報送信方法。
【請求項１２】
端末開始位置要請モード情報は、第１ＳＥＴが自分の位置情報を受信することを願うのか、または自分の位置情報を第２ＳＥＴに送信するのを願うかの可否を判断するための特定情報を含むことを特徴とする請求項１１に記載の位置情報送信方法。
【請求項１３】
端末開始位置要請モード情報が第１ＳＥＴが自分の位置情報を第２ＳＥＴに送信することを願うことを示す場合に、開始メッセージは第２ＳＥＴのＩＤ情報を含むことを特徴とする請求項１２に記載の位置情報送信方法。
【請求項１４】
開始メッセージは位置情報受信確認情報を含むことを特徴とする請求項１１に記載の位置情報送信方法。
【請求項１５】
第１ＳＥＴが位置情報受信確認モード情報を利用して自分の位置情報の受信を示す位置情報受信確認信号を受信しようとする場合に、第１ＳＥＴの位置情報を受信した第２ＳＥＴは位置情報受信確認信号を前記第１ＳＥＴに送信することを特徴とする請求項１４に記載の位置情報送信方法。
【請求項１６】
端末開始位置要請モード情報を含んだ開始メッセージを送信する段階と、及び
端末開始位置要請モード情報が第１端末が自分の位置情報を受信しようとする場合に、前記第１端末の位置情報を受信する段階を含む位置情報送信方法。
【請求項１７】
端末開始位置要請モードが第２端末で第１端末位置情報送信要請の場合に、開始メッセージは第２端末のＩＤ情報を含むことを特徴とする請求項１６に記載の位置情報送信方法。
【請求項１８】
開始メッセージは位置情報受信確認モード情報を含むことを特徴とする請求項１７に記載の位置情報送信方法。
【請求項１９】
端末開始位置要請モード情報が第２端末で第１端末の位置情報送信要請で、前記位置情報受信確認モードが第２端末が第１端末の位置情報の受信を示す位置情報受信確認信号を出力する必要があることを示す場合に、位置情報受信確認信号を前記第２端末から受信する段階を含むことを特徴とする請求項１８に記載の位置情報送信方法。
【請求項２０】
第１端末、第２端末、ホームサーバー及び訪問サーバーを含む通信環境の位置情報送信方法において、
位置追跡手続きを開始するために前記第１端末が開始メッセージを前記ホームサーバーに送信する段階と、
前記ホームサーバーが前記訪問サーバーを通じて第１端末の位置追跡を遂行する段階と、
前記第１端末の位置情報を計算して、計算された第１端末の位置情報を前記ホームサーバーに送信する段階と、及び
前記ホームサーバーが前記第１端末の位置情報を前記第２端末に送信する段階と、を含むことを特徴とする位置情報送信方法。
【請求項２１】
開始メッセージは第２端末のＩＤ情報と、端末開始位置要請モード情報を含むことを特徴とする請求項２０に記載の位置情報送信方法。
【請求項２２】
端末開始位置要請モード情報は、第１端末の自分の位置情報を第２端末に送信することを願うことを示す特定情報を含むことを特徴とする請求項２１に記載の位置情報送信方法。
【請求項２３】
開始メッセージは位置情報受信確認モード情報を含むことを特徴とする請求項２１に記載の位置情報送信方法。
【請求項２４】
訪問サーバーがサーバー管理部と位置計算部を含む場合に、前記訪問サーバーは前記位置計算部と第１端末との間に位置追跡手続きを遂行して第１端末の位置情報を獲得して、前記サーバー管理部は計算された第１端末の位置情報をホームサーバーに送信して前記ホームサーバーが第１端末の位置情報を第２端末に送信することを特徴とする請求項２１に記載の位置情報送信方法。
【請求項２５】
位置情報を受信したホームサーバーが第１端末の位置情報を第１端末に送信する段階をさらに含むことを特徴とする請求項２１に記載の位置情報送信方法。
【請求項２６】
第１端末、第２端末、ホームサーバー及び訪問サーバーを含む通信環境の位置情報送信方法において、
位置追跡手続きを開始するために前記第１端末が開始メッセージを前記ホームサーバーに送信する段階と、
開始メッセージを受信した前記ホームサーバーと前記第１端末との間に位置追跡手続きを遂行する段階と、前記第１端末の位置情報を獲得する段階と、及び
前記第１端末の位置情報を第２端末に送信する段階を含むことを特徴とする位置情報送信方法。
【請求項２７】
開始メッセージは第２端末のＩＤ情報と、端末開始位置要請モード情報を含むことを特徴とする請求項２６に記載の位置情報送信方法。
【請求項２８】
端末開始位置要請モード情報は第１端末が自分の位置情報を第２端末で送信要請することを示す特定情報を含むことを特徴とする請求項２７に記載の位置情報送信方法。
【請求項２９】
開始メッセージは位置情報受信確認モード情報を含むことを特徴とする請求項２６に記載の位置情報送信方法。
【請求項３０】
ホームサーバーがサーバー管理部と位置計算部を含む場合に、ホームサーバーは前記位置計算部と第１端末との間の位置追跡手続きを遂行して第１端末の位置情報を獲得して、計算された第１端末の位置情報を前記サーバー管理部に送信して、前記サーバー管理部が第１端末の位置情報を第２端末に送信することを特徴とする請求項２６に記載の位置情報送信方法。
【請求項３１】
第１端末、第２端末、ホームサーバー、通知サーバーを含む通信環境の位置情報送信方法において、
位置追跡手続きを開始するためにホームサーバーが開始メッセージを受信する段階と、
前記開始メッセージを受信したホームサーバーと第１端末との間に位置追跡手続きを遂行して第１端末の位置情報を獲得して、既に獲得した第１端末の位置情報を通知サーバーに送信する段階と、及び
前記第１端末の位置情報を受信した通知サーバーが第２端末で第１端末の位置情報を送信する段階と、を含む位置情報送信方法。
【請求項３２】
開始メッセージは位置情報が受信される第２端末のＩＤ情報を含むことを特徴とする請求項３１に記載の位置情報送信方法。
【請求項３３】
開始メッセージは端末開始位置要請モード情報を含んで、
前記端末開始位置要請モード情報は第２端末で第１端末自分の位置情報送信要請の特定情報を含むことを特徴とする請求項３１に記載の位置情報送信方法。
【請求項３４】
開始メッセージは位置情報受信確認モード情報を含むことを特徴とする請求項３１に記載の位置情報送信方法。
【請求項３５】
第１端末が位置情報受信確認モード情報を利用して位置情報受信確認を要請した場合に、位置情報を受信した第２端末は位置情報受信確認信号を第１端末に送信することを特徴とする請求項３４に記載の位置情報送信方法。
【請求項３６】
第１端末の位置情報と位置情報受信確認モード情報を受信する段階と、及び
前記位置情報受信確認モード情報が前記第１端末の位置情報受信確認信号を要請する場合に、前記位置情報受信確認信号を前記第１端末に送信する段階と、を含む位置情報送信方法。
【請求項３７】
第１端末の位置情報と位置情報受信確認モード情報は位置追跡通知メッセージを通じて受信されることを特徴とする請求項３６に記載の位置情報送信方法。
【請求項３８】
位置追跡通知メッセージはＳＵＰＬ  ＰＯＳ  ＮＯＴＩＦＩＣＡＴＩＯＮメッセージ、ＭＬＰ  ＳＬＲ、ＷＡＰ  ＰＵＳＨ、ＳＭＳメッセージのうちでいずれかひとつであることを特徴とする請求項３７に記載の位置情報送信方法。
【請求項３９】
第１端末からＳＥＴ  ＩＤ情報を含んだ開始メッセージを受信する段階と、
前記第１端末の位置情報を計算する段階と、及び
前記計算された第１端末の位置情報を前記ＳＥＴ  ＩＤ情報によって第２端末に送信する段階を含む位置情報送信方法。
【請求項４０】
ＳＥＴ  ＩＤ情報は第１端末が自分の位置情報を送ろうとする第２端末のＩＤ情報であることを特徴とする請求項３９に記載の位置情報送信方法。
【請求項４１】
ＳＥＴ  ＩＤ情報が、第１端末が自分の位置情報を送ろうとする第２端末のＩＤ情報なら、前記第２端末のＩＤ情報は第２端末ネーム情報と第２端末ネームタイプ情報とのうちでいずれか一つ以上を含むことを特徴とする請求項３９に記載の位置情報送信方法。
【請求項４２】
開始メッセージは位置情報受信確認モード情報を含むことを特徴とする請求項３９に記載の位置情報送信方法。
【請求項４３】
第１端末が位置情報受信確認モード情報を利用して位置情報受信確認を要請した場合に、位置情報を受信した第２端末は位置情報受信確認信号を第１端末に送信することを特徴とする請求項４２に記載の位置情報送信方法。
【請求項４４】
第１端末からＳＥＴ  ＩＤ情報を含んだ開始メッセージを受信する段階と、
前記ＳＥＴ  ＩＤ情報によって第２端末の位置情報を計算する段階と、及び
前記計算された第２端末の位置情報を前記第１端末に送信する段階と、を含む位置情報送信方法。
【請求項４５】
ＳＥＴ  ＩＤ情報は第１端末が位置情報の受信を受けることを願う第２端末のＩＤ情報であることを特徴とする請求項４４に記載の位置情報送信方法。
【発明の詳細な説明】
【技術分野】
【０００１】
本発明は、移動通信端末の位置情報を送るための方法に関し、より詳細には、所定の端末にとって位置情報サービスを利用して自分の位置情報を獲得するか、または前記所定の端末にとって自分の位置情報を他の端末に知らせるように許容する、位置情報を效果的に送るための方法に関する。
【背景技術】
【０００２】
一般に、移動通信システムは移動通信網を基盤に端末の位置を把握することができるし、把握された端末位置情報を採択することができる位置基盤サービス（Ｌｏｃａｔｉｏｎ
Ｂａｓｅｄ  Ｓｅｒｖｉｃｅ：ＬＢＳ）を提供する。例えば、人または事物の位置を追跡するサービス、車ナビゲーション、及び緊急救難サービスなどが前述した位置情報サービスの例である。
【０００３】
現在移動通信システムでは前記の位置基盤サービスをネットワークシステムのコントロールプレーン（ｃｏｎｔｒｏｌ  ｐｌａｎｅ）を通じて提供している。しかし、このようなコントロールプレーンを通じて提供される位置基盤サービスは、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２（３ｒｄ
Ｇｅｎｅｒａｔｉｏｎ  Ｐａｒｔｎｅｒｓｈｉｐ  Ｐｒｏｊｅｃｔ２）などのネックワーク構造によって位置追跡（ｐｏｓｉｔｉｏｎｉｎｇ）のためのシグナリング（ｓｉｇｎａｌｉｎｇ）及び位置追跡システムの構造が変わるようになる。
【０００４】
したがって、サービスを更新するか、または新しい位置追跡方法をネットワークに取り入れるためには前記移動通信システムがコントロールプレーンのシグナリングとプロトコルなどコントロールプレーンの変更によって変更されなければならないネットワーク要素らをすべて更新するか、または新たに取り入れなければならないし、それによって使用者の不便をもたらす問題点があった。
【０００５】
前記問題点を解決するために、ユーザープレーン（ｕｓｅｒ  ｐｌａｎｅ）で位置情報サービスを提供可能にさせるユーザープレーンプロトコル（ｕｓｅｒ  ｐｌａｎｅ  ｐｒｏｔｏｃｏｌ）を定義した。
【０００６】
前記ユーザープレーンプロトコルは、ユーザープレーンを利用して位置追跡サービスに必要な情報を送るから、ネットワーク構造に独立的である。また、ユーザープレーンプロトコルはサービスを更新するか、または新しい位置追跡方法を取り入れても位置追跡システムを構成するネットワーク要素らをすべて更新しなくても良い長所を有する。
【０００７】
しかし、ユーザープレーンプロトコルでは所定の端末が自分の位置情報を受信する方法または前記所定の端末が自分の位置情報を他の特定端末に送信するための望ましい方法が提示されていないので、位置追跡手続きを遂行するにおいて意図しない問題になって来た。
【発明の開示】
【発明が解決しようとする課題】
【０００８】
したがって、本発明は従来技術の限界と短所による一つ以上の問題点を実質的に防止する、位置情報送信方法を提供することである。
【０００９】
本発明の目的は、特定端末が自分の位置情報を獲得するか、または特定端末自分の位置
情報を他の特定端末に送るためのさらに效率的な位置情報送信方法を提供するものである。
【００１０】
本発明の追加的な長所、目的及び特徴は下の記載に部分的に記載して部分的には本発明の下の記載及び例を基礎にして当技術分野の当業者が明確に把握することができる。本発明の目的及びその他の長所は発明の詳細な説明と請求項だけではなく、添付図面に記載した構成によって実現することができる。
【００１１】
前記目的を達成するために、位置情報を送るための方法は、第１端末から移動型位置要請（ＭＯ：Ｍｏｂｉｌｅ  Ｏｒｉｅｎｔｅｄ  Ｌｏｃａｔｉｏｎ  Ｒｅｑｕｅｓｔ）モード情報を含んだ開始メッセージを受信する段階と、前記第１端末の位置情報を計算する段階と、及び前記移動型位置要請モード情報によって前記計算された第１端末の位置情報を送る段階を含む。
【００１２】
本発明の他の態様は第１ＳＥＴ（ＳＵＰＬ  Ｅｎａｂｌｅｄ  Ｔｅｒｍｉｎａｌ）、ＳＬＰ（ＳＵＰＬ  Ｌｏｃａｔｉｏｎ  Ｐｌａｔｆｏｒｍ）及び第２ＳＥＴ（ＳＵＰＬ  Ｅｎａｂｌｅｄ  Ｔｅｒｍｉｎａｌ）のＳＵＰＬ（Ｓｅｃｕｒｅ  Ｕｓｅｒ  Ｐｌａｎｅ  Ｌｏｃａｔｉｏｎ）において、前記第１ＳＥＴから移動型位置要請モード情報を含んだ開始メッセージを受信する段階と、前記第１ＳＥＴの位置情報を計算する段階と、及び前記移動型位置要請モード情報によって前記計算された第１端末の位置情報を前記第１ＳＥＴと第２ＳＥＴのうちでいずれか一つに送る段階を含む位置情報送信方法を提供する。
【００１３】
本発明のまた他の態様は、移動型位置要請モード情報を含んだ開始メッセージを送信する段階と、及び第１端末がその位置情報を受信しようとすることを前記移動型位置要請モード情報が示す場合に第１端末の位置情報を受信する段階と、を含む位置情報送信方法を提供する。
【００１４】
本発明のまた他の態様は、第１端末、第２端末、ホームサーバー（Ｈ−ｓｅｒｖｅｒ）及び訪問サーバー（Ｖ−ｓｅｒｖｅｒ）を含む通信環境の位置情報送信方法において、前記第１端末が位置追跡手続きを開始するために開始メッセージをホームサーバーに送信する段階と、前記ホームサーバーが訪問サーバーを通じて第１端末の位置追跡を遂行する段階と、前記第１端末の位置情報を計算して、前記計算された第１端末の位置情報をホームサーバーに送信する段階と、及び前記ホームサーバーが第１端末の位置情報を第２端末に送信する段階を含む位置情報送信方法を提供する。
【００１５】
本発明のまた他の態様は、第１端末、第２端末、ホームサーバー、訪問サーバーを含む通信環境の位置情報送信方法において、前記第１端末が位置追跡手続きを開始するために開始メッセージをホームサーバーに送信する段階と、前記開始メッセージを受信したホームサーバーと第１端末との間に位置追跡を遂行して、第１端末の位置情報を計算する段階と、及び第１端末の位置情報を第２端末に送信する段階を含む位置情報送信方法を提供する。
【００１６】
本発明のまた他の態様は第１端末、第２端末、ホームサーバー、通知サーバー（Ｎ−ｓｅｒｖｅｒ）を含む通信環境の位置情報送信方法において、位置追跡手続きを開始するために開始メッセージをホームサーバーが受信する段階と、前記開始メッセージを受信したホームサーバーと第１端末との間に位置追跡手続きを遂行して第１端末の位置情報を獲得して、前記獲得した第１端末の位置情報を通知サーバーに送信する段階と、及び前記通知サーバーが第１端末の位置情報を第２端末に送信する段階を含む位置情報送信方法を提供する。
【００１７】
本発明のまた他の態様は、第１端末の位置情報と位置情報受信確認モード情報（ＡＣＫ
ｍｏｄｅ  ｉｎｆｏｒｍａｔｉｏｎ）を受信する段階と、前記位置情報受信確認モード情報が前記第１端末の位置情報の受信を示す受信確認信号出力を要請する場合、前記位置情報受信確認信号を第２端末に送信する段階と、を含む位置情報送信方法を提供する。
【００１８】
本発明のまた他の態様は、第１端末からＳＥＴ  ＩＤ（Ｉｄｅｎｔｉｆｉｅｒ）情報を含んだ開始メッセージを受信する段階と、前記第１端末の位置情報を計算する段階と、及び前記計算した第１端末の位置情報を前記ＳＥＴ  ＩＤ情報によって第２端末に送信する段階と、を含む位置情報送信方法を提供する。
【００１９】
本発明のまた他の態様は、第１端末からＳＥＴ  ＩＤ情報を含んだ開始メッセージを受信する段階と、前記ＳＥＴ  ＩＤ情報によって第２端末の位置情報を計算する段階と、及び前記計算した第２端末の位置情報を前記第１端末に送信する段階を含む位置情報送信方法を提供する。
【００２０】
本発明の前述した総括的な記載と後述した詳細な記載は例示的で説明的なものであり、請求された本発明の追加的な説明のためのものであることを主旨しなければならない。
【発明の効果】
【００２１】
本発明によると、位置情報送信方法が特定端末が自分の位置情報を位置情報システムを利用して受信するようにするか、または特定端末が自分の位置情報を他の端末に送るようにして、前述した作用のための多様なメッセージを限定して、端末を通じた位置情報サービスが效果的に具現されることができる。
【発明を実施するための最良の形態】
【００２２】
以下、本発明の望ましい実施例に対して添付された図面を参照にして詳しく説明する。同一な図面符号はできる限り全体図面にかけて同一であるか、または類似な部材を指定するのに使用される。
【００２３】
本発明を説明する前に、本発明で使用される用語はできる限り、現在広く使用される一般的な用語を選択したが、特定な場合は出願人が任意に選定した用語もある。よって、この場合には該当される発明の説明部分で詳細なその意味を記載したので、単純な用語の名称ではないその用語が有する意味として本発明を把握しなければならないことを明らかにしておこうとする。
【００２４】
本発明で用語“プロトコル（ｐｒｏｔｏｃｏｌ）”は、通信規約（ｃｏｍｍｕｎｉｃａｔｉｏｎ  ｐｒｏｔｏｃｏｌ）を意味する。用語“ユーザープレーンプロトコル”はユーザープレーンで使用するためのプロトコルを意味する。前記ユーザープレーンプロトコルの代表的な例は“セキュアユーザープレーンロケーションプロトコル（Ｓｅｃｕｒｅ  Ｕｓｅｒ  Ｐｌａｎｅ  Ｌｏｃａｔｉｏｎ  Ｐｒｏｔｏｃｏｌ）である。前記セキュアユーザープレーンロケーションプロトコルは、ユーザープレーンで位置情報サービスを提供するプロトコルを意味する。説明の便宜と本発明のより良い理解のために、ＳＵＰＬプロトコルがユーザープレーンロケーションプロトコルとして使用されるが、本発明の技術思想がＳＵＰＬプロトコルに限定されないことは自明である。
【００２５】
用語“端末”は、通信網で情報が入出力される地点を意味するか、またはデジタル資料送信システムで資料を作るか、または見るための器機を意味すると、または資料送信／受信機能を遂行する機器を意味する。以下、本発明の説明の便宜のために端末としてユーザープレーンロケーションプロトコルが可能な端末であるＳＥＴ（ＳＵＰＬ  Ｅｎａｂｌｅｄ  Ｔｅｒｍｉｎａｌ）を例にして説明する。前記ユーザープレーンロケーションプロト
コルでの端末をＳＵＰＬ  Ａｇｅｎｔと指称したりする。
【００２６】
例えば、特定端末が自分の位置情報を要請するか、または自分の位置情報を他の特定端末に送信することを願う端末を第１端末であると定義して、第１ＳＵＰＬ  Ｅｎａｂｌｅｄ  Ｔｅｒｍｉｎａｌ（以下、第１ＳＥＴ）を第１端末の望ましい一実施例で説明する。他の端末が前記第１端末の位置情報が受信される到着地点として第１端末によって要請される場合に、受信することを願う端末を第２端末であると定義して、Ｎｏｔｉｆｉｅｄ  ＳＵＰＬ  Ｅｎａｂｌｅｄ  Ｔｅｒｍｉｎａｌ（以下、第２ＳＥＴ）が第２端末の望ましい一実施例で説明する。
【００２７】
しかし、本発明の技術思想は本発明の範囲を脱することがなしに他の端末にも同一に適用可能である。これと関連して、前記第１ＳＥＴは目的ＳＥＴ、前記第２ＳＥＴは通知ＳＥＴで表記することもできる。
【００２８】
用語“サーバー”は、通信網上で他の端末がその通信網の全部または一部に対する接続を許容して、その通信網の資源に対する接続を制御する管理ソフトウェアを運用する装置またはプログラムを意味する。前記サーバーは特定端末の位置計算をする位置計算部（ｌｏｃａｔｉｏｎ  ｃａｌｃｕｌａｔｏｒ）と、前記サーバーを利用して全般的なプロトコル管理をするサーバー管理部（ｓｅｒｖｅｒ  ｍａｎａｇｅｒ）を含む。
【００２９】
この場合に、本発明と関連してＳＬＰ（ＳＵＰＬ  Ｌｏｃａｔｉｏｎ  Ｐｌａｔｆｏｒｍ：以下、ＳＬＰ）がサーバーの一実施例として使用されて、ＳＰＣ（ＳＵＰＬ  Ｐｏｓｉｔｉｏｎ  Ｃｅｎｔｅｒ：以下、ＳＰＣ）が位置計算部の一実施例として使用されて、ＳＬＣ（ＳＵＰＬ  Ｌｏｃａｔｉｏｎ  Ｃｅｎｔｅｒ：以下、ＳＬＣ）がサーバー管理部の一実施例として使用される。しかし、本発明は必要な場合他のサーバーにも同一に適用可能である。
【００３０】
本発明において、端末が最初登録するか、または加入した特定ネットワークがホームネットワーク（ＨＮ：Ｈｏｍｅ  Ｎｅｔｗｏｒｋ）と指称される。端末が他の位置に移動して、前記ホームネットワークではない他のネットワークに連結される場合に、該当ネットワークが訪問ネットワーク（ＶＮ：Ｖｉｓｉｔｅｄ  Ｎｅｔｗｏｒｋ）と言う。
【００３１】
ホームネットワーク内のサーバーをホームサーバーまたはＨ−サーバーと言う。訪問ネットワーク内のサーバーを訪問サーバーまたはＶ−サーバーと言う。位置情報を受信するための制２端末が属したネットワーク内のサーバーを通知サーバーまたはＮ−サーバーと言う。
【００３２】
ここで、本発明と関連してＨ−サーバーの一実施例でホームＳＬＰ（Ｈ−ＳＬＰ）、Ｖ−サーバーの一実施例で訪問ＳＬＰ（Ｖ−ＳＬＰ）、Ｎ−サーバーの一実施例で通知ＳＬＰ（Ｎ−ＳＬＰ）が使用される。しかし、本発明はこれに限定されないし、論理的な客体として作用する前記Ｎ−ＳＬＰはＨ−ＳＬＰと同一であることができることを明らかにしておく。
【００３３】
端末がＨＮに位置する第１場合をノン−ローミング場合（Ｎｏｎ−Ｒｏａｍｉｎｇ  ｓｕｃｃｅｓｓｆｕｌ  Ｃａｓｅ）と言う。端末がＨＮではないＶＮに位置する第２場合をローミング場合（Ｒｏａｍｉｎｇ  ｓｕｃｃｅｓｓｆｕｌ  Ｃａｓｅ）と言う。端末がサーバーのうちでサーバー管理部を経って位置計算部との通信を通じて位置情報を計算する第３場合をプロキシモード（Ｐｒｏｘｙ  Ｍｏｄｅ）と言う。端末が位置計算部と直接通信して位置情報を計算する第４場合をノン−プロキシモード（Ｎｏｎ−Ｐｒｏｘｙ  Ｍｏｄｅ）と言う。
【００３４】
例えば、第１ＳＥＴがＨＮに位置する場合をノン−ローミング場合と言う。第１ＳＥＴがＶＮに位置する場合をローミング場合と言う。第１ＳＥＴがサーバー管理部であるＳＬＣを経って位置計算部であるＳＰＣとの通信を通じて位置情報を計算する場合をプロキシモードと言う。第１ＳＥＴが位置計算部であるＳＰＣと直接通信して位置情報を計算する場合をノン−プロキシモードと言う。
【００３５】
しかし、本発明は端末がローミング状態と関係なくノン−ローミング場合とローミング場合に適用可能であり、サーバーがプロキシモードとノン−プロキシモードに適用可能であることは当業者に明確な事実である。
【００３６】
“メッセージ”とは、厳格な規則によって構成された一つの送信単位を意味して、送信装置と受信装置との間に一定な規則であるプロトコルにしたがって送信される単位を意味する。例えば、ＵＰＬメッセージ（Ｕｓｅｒ  Ｐｌａｎｅ  Ｌｏｃａｔｉｏｎ  Ｐｒｏｔｏｃｏｌ  Ｍｅｓｓａｇｅ）は、ＳＵＰＬプロトコルによるデータ送信単位を意味する。
【００３７】
例えば、初期化メッセージ、開始メッセージ、回答メッセージ、位置追跡初期化メッセージ、位置追跡メッセージ、終了メッセージ、認証回答メッセージ、位置追跡通知メッセージのような多様なＵＰＬメッセージが存在する。初期化メッセージはネットワーク初期化中にサーバーから端末に最初に送信するメッセージを意味する。開始メッセージは、自分の位置情報送信要請または他の特定端末の位置情報送信要請のために端末からサーバーに送信する最初のメッセージを意味する。
【００３８】
回答メッセージは開始メッセージに回答するメッセージを意味する。位置追跡初期化メッセージは位置追跡を開始する場合に第１端末からサーバーに送信するメッセージを意味する。位置追跡メッセージは位置追跡サービスを遂行するためにサーバーと第１端末との間に送受信されるメッセージを意味する。終了メッセージは特定の過程遂行が終わったことを知らせてくれるか、または特定状態情報を含むメッセージを意味する。認証回答メッセージはノン−プロキシモードのネットワークが始まる場合に使用されて、ホームサーバーから端末に送信される。位置追跡通知メッセージは第１端末の位置情報を第２端末に送信して、第１端末の位置情報を含む。
【００３９】
例えば、本発明と関連してＳＵＰＬ  ＩＮＩＴメッセージが前記初期化メッセージで、ＳＵＰＬ  ＳＴＡＲＴメッセージが前記開始メッセージで、ＳＵＰＬ  ＲＥＳＰＯＮＳＥメッセージが前記回答メッセージで、ＳＵＰＬ  ＰＯＳ  ＩＮＩＴメッセージが前記位置追跡初期化メッセージで、ＳＵＰＬ  ＰＯＳメッセージが前記位置追跡メッセージで、ＳＵＰＬ  ＥＮＤメッセージが前記終了メッセージで、ＳＵＰＬ  ＡＵＴＨ  ＲＥＳＰメッセージが前記認証回答メッセージで、ＳＵＰＬ  ＰＯＳ  ＮＯＴＩＦＩＣＡＴＩＯＮメッセージが前記位置追跡通知メッセージで使用される。しかし、本発明は前記実施例に限定されないで本発明と同一な技術思想を有する他のメッセージにも適用可能である。
【００４０】
本発明の下の望ましい実施例を説明する前に、第１ＳＥＴが自分の位置情報を要請するか、または第１ＳＥＴが自分の位置情報を第２ＳＥＴに送信する特定手続きが記載の便宜と本発明のより良い理解のために例えて説明したことを明らかにしておく。
【００４１】
図１Ａは、本発明の望ましい第１実施例による位置情報送信方法を示す構想図である。特に、図１Ａは第１ＳＥＴがＨＮに位置するノン−ローミング場合と第１ＳＥＴがＳＬＣを通じてＳＰＣと通信するプロキシモード場合を見せてくれる。
【００４２】
図１Ａを参照すると、本発明の望ましい第１実施例による位置追跡システムは第１ＳＥ
Ｔ１００、ＳＬＰ１１０及び第２ＳＥＴ１２０を含む。
【００４３】
第１ＳＥＴ１００は位置追跡サービスを開始するためのＳＥＴを意味して、ＳＵＰＬプロトコルを利用してＳＵＰＬネットワークと通信することができる。第１ＳＥＴ１００は位置追跡サービスを遂行するためにサーバーで作用するＳＬＰ１１０と通信する位置追跡過程を遂行して自分の位置情報を獲得する。
【００４４】
ＳＬＰ１１０はネットワーク資源を接近／採択することができるネットワーク要素として作用するサーバーであり、ネットワークのＳＵＰＬ  ＳＡＰ（Ｓｅｒｖｉｃｅ  Ａｃｃｅｓｓ  Ｐｏｉｎｔ）を示す。前記ＳＬＰ１１０は第１ＳＥＴ１００の位置情報を計算する個体として作用するＳＰＣと、例えばＳＵＰＬセッション管理、ローミング、資源管理などの全般的なＳＵＰＬプロトコルを管理する個体として作用するＳＬＣを含むことができる。
【００４５】
第２ＳＥＴ１２０は第１ＳＥＴ１００が自分の位置情報送信を願うＳＥＴを意味して、ＳＬＰ１１０から受信された第１ＳＥＴ１００の位置情報を採択する論理的なＳＡＰを示す端末である。ここで、前記第２ＳＥＴ１２０は第１ＳＥＴ１００と同様にＳＵＰＬプロトコルを利用してＳＵＰＬネットワークと通信することができる端末である。
【００４６】
例えば、前記第１ＳＥＴ１００と第２ＳＥＴ１２０それぞれはＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）でのＵＴ（Ｕｓｅｒ  Ｔｅｒｍｉｎａｌ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）またはＩＳ−９５でのＭＳ（Ｍｏｂｉｌｅ  Ｓｔａｔｉｏｎ）、またはＳＵＰＬプロトコルを支援するためのノートブック及びＰＤＡ（Ｐｅｒｓｏｎａｌ  Ｄｉｇｉｔａｌ  Ａｓｓｉｓｔａｎｔ）である。
【００４７】
本発明の望ましい第１実施例による位置追跡システムでＳＵＰＬプロトコルを利用して第１ＳＥＴ１００が自分の位置情報を獲得するか、または自分の位置情報を第２ＳＥＴ１２０に送信する方法を下に記載する。
【００４８】
ＳＬＰ１１０は第１ＳＥＴ１００の位置情報を第２ＳＥＴ１２０に通知するためにＳＵＰＬ  ＰＯＳ  ＮＯＴＩＦＩＣＡＴＩＯＮメッセージを第２ＳＥＴ１２０に送信する位置追跡手続きに関する。
【００４９】
この場合に、第１ＳＥＴ１００からＳＬＰ１１０に最初に送信されるＳＵＰＬ  ＳＴＡＲＴメッセージは第２ＳＥＴ  ＩＤを示すｎｏｔｉｆｉｅｄ  ＳＥＴ−ｉｄ情報、ＭＯモード情報及びＡＣＫモード情報を含むことができる。
【００５０】
第１ＳＥＴ１００はＳＵＰＬセッションを開始するためにデータ通信のための移動通信網にデータリンク連結を設定する（Ｓ１００）。
【００５１】
データリンク連結以後に、第１ＳＥＴ１００は位置追跡手続き（Ｓ１０１）を開始するためにＳＵＰＬ  ＳＴＡＲＴメッセージをＳＬＰ１１０に送信する。この時、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、ｎｏｔｉｆｉｅｄ  ＳＥＴ−ｉｄ情報、ＭＯモード情報及びＡＣＫモード情報などを含むことができる。
【００５２】
前記ｎｏｔｉｆｉｅｄ  ＳＥＴ−ｉｄ情報は第１ＳＥＴの位置情報が受信される第２ＳＥＴのＩＤ情報を意味する。前記ＭＯモード情報は、第１ＳＥＴの位置情報要請作用を開始するためのＳＥＴのモード情報を意味する。前記ＭＯモード情報は、タイプ１（Ｔｙｐ
ｅ  １）またはタイプ２（Ｔｙｐｅ  ２）を示す所定の情報を含むことができる。
【００５３】
例えば、ＭＯモード情報がタイプ１である場合には、第１ＳＥＴ１００が自分の位置情報を受信することを要請する場合であり、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報及びＭＯモード情報などを含むことができる。ＭＯモード情報がタイプ２である場合には、第１ＳＥＴ１００が自分の位置情報を第２ＳＥＴ１２０に受信することを要請する場合であり、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、ｎｏｔｉｆｉｅｄ  ＳＥＴ−ｉｄ情報、ＭＯモード情報及びＡＣＫモード情報などを含むことができる。
【００５４】
ＡＣＫモード情報は、第２ＳＥＴが第１ＳＥＴの位置情報を受信したかに対する受信確認を前記第１ＳＥＴにする必要があるかの可否を示す情報を意味する。
【００５５】
これと関連して、第１ＳＥＴが自分の位置情報を送るためにＳＬＰに要請するタイプ１の場合と、第１ＳＥＴが自分の位置情報を第２ＳＥＴに送るためにＳＬＰに要請するタイプ２の場合はＭＯモードタイプ情報によって分類されて、図２Ａ、図３Ａ、図４Ａ、図５Ａ及び図７Ａないし図７Ｃに示す多様な実施例にすべて適用されることができる。
【００５６】
以下、前記ＳＵＰＬ  ＳＴＡＲＴメッセージの望ましい実施例は図１１Ａないし図１１Ｃを参照にして詳しく説明する。また、前記ＳＵＰＬ  ＳＴＡＲＴメッセージの望ましい実施例は、本発明の他の実施例にも適用可能である。
【００５７】
第１ＳＥＴ１００からＳＵＰＬ  ＳＴＡＲＴメッセージを受信するやいなや、ＳＬＰ１１０は第２ＳＥＴ１００のローミング状態を確認する（Ｓ１０２）。
【００５８】
第１ＳＥＴ１００のローミング状態を確認した以後に、ＳＬＰ１１０はｓｅｓｓｉｏｎ−ｉｄ情報、ｐｏｓｍｅｔｈｏｄ情報などを含んだＳＵＰＬ  ＲＥＳＰＯＮＳＥメッセージを第１ＳＥＴ１００に送って前記第１ＳＥＴ１００にサービス要請許容を知らせて、位置追跡手続きの開始を知らせる（Ｓ１０３）。以下、前記ＳＵＰＬ  ＲＥＳＰＯＮＳＥメッセージは図１２を参照して詳しく説明する。
【００５９】
第１ＳＥＴ１００がＳＬＰ１１０からＳＵＰＬ  ＲＥＳＰＯＮＳＥメッセージを成功的に受信する場合に、前記第１ＳＥＴは自分の実際位置追跡開始を知らせるＳＵＰＬ  ＰＯＳ  ＩＮＩＴメッセージをＳＬＰ１１０に送信する（Ｓ１０４）。前記ＳＵＰＬ  ＰＯＳ
ＩＮＩＴメッセージは、ｓｅｓｓｉｏｎ−ｉｄ情報、ｌｉｄ情報、及びＳＥＴ  ｃａｐａｂｉｌｉｔｙ情報などを含んで、これは図１３を参照にして詳しく説明する。
【００６０】
ＳＬＰ１１０が第１ＳＥＴ１００からＳＵＰＬ  ＰＯＳ  ＩＮＩＴメッセージを受信する場合に、前記ＳＬＰ１１０と第１ＳＥＴ１００はＳＵＰＬ  ＳＴＡＲＴ、ＳＵＰＬ  ＲＥＳＰＯＮＳＥ、ＳＵＰＬ  ＰＯＳ  ＩＮＩＴメッセージ基盤の多様な位置計算方法（例えば、ＳＥＴ−Ａｓｓｉｓｔｅｄ  Ａ−ＧＰＳ方法、ＳＥＴ−Ｂａｓｅｄ  Ａ−ＧＰＳ方法、Ｃｅｌｌ−ｉｄ方法など）と、多様な位置追跡プロトコル（ＧＳＭ：ＲＲＬＰ、３ＧＰＰ：ＲＲＣ、及び３ＧＰＰ２：ＴＩＡ−８０１）によって第１ＳＥＴ１００の位置情報を計算する。
【００６１】
この時、ＳＬＰ１１０と第１ＳＥＴ１００との間に通信される位置追跡プロトコルメッセージはＳＵＰＬ  ＰＯＳメッセージにカプセル化（Ｅｎｃａｐｓｕｌａｔｉｏｎ）されて位置追跡プロトコルメッセージを含んだＳＵＰＬ  ＰＯＳメッセージが送受信される（Ｓ１０５）。前記ＳＵＰＬ  ＰＯＳメッセージはｓｅｓｓｉｏｎ−ｉｄ情報及びＲＲＬＰ
／ＲＲＣ／ＴＩＡ−８０１情報を含んで、以下図１４を参照にして詳しく説明される。
【００６２】
第１ＳＥＴ１００の位置情報が段階（Ｓ１０５）で計算される場合に、ＳＬＰ１１０はＳＵＰＬ  ＥＮＤメッセージを送信して位置追跡サービスのためのＳＵＰＬセッションが終わったことを第１ＳＥＴ１００に通知する（Ｓ１０６）。前記ＳＵＰＬ  ＥＮＤメッセージはｓｅｓｓｉｏｎ−ｉｄ情報と位置追跡結果を示すｐｏｓｒｅｓｕｌｔ情報を含んで、以下図１５を参照して詳しく説明される。
【００６３】
これと関連して、ＳＵＰＬ  ＳＴＡＲＴメッセージのＭＯモード情報がタイプ１である場合には段階（Ｓ１００）から段階（Ｓ１０６）まで位置追跡手続きが進行される。以下の過程はＳＵＰＬ  ＳＴＡＲＴメッセージがタイプ２ＭＯモード情報を含むタイプ２場合と関連される。
【００６４】
ＳＬＰ１１０はｐｏｓｒｅｓｕｌｔ情報を含んだＳＵＰＬ  ＰＯＳ  ＮＯＴＩＦＩＣＡＴＩＯＮメッセージによって計算された第１ＳＥＴ１００の位置情報を第２ＳＥＴ１２０に送信する（Ｓ１０７）。これと関連して、第２ＳＥＴ１２０を管理する管理サーバー（例えば、位置サーバー）が存在する場合に、ＳＬＰ１１０は第１ＳＥＴ１００の位置情報を第２ＳＥＴ１２０の管理サーバーに送信することができる。第１ＳＥＴ１００の位置情報を受信するやいなや、第２ＳＥＴ１２０の管理サーバーは第１ＳＥＴ１００の位置情報を第２ＳＥＴ１２０に再送信することができる。
【００６５】
この時、前記ＳＵＰＬ  ＰＯＳ  ＮＯＴＩＦＩＣＡＴＩＯＮメッセージはＳＵＰＬ  ＩＮＩＴメッセージと同一な送信方式を使用することができる。これと関連して、ＳＬＰ１１０は多様なメッセージ（すなわち、ＭＬＰ  ＳＬＲメッセージ、ＷＡＰ  ＰＵＳＨ、ＳＭＳメッセージ、ＴＣＰ／ＩＰ連結、及びＵＤＰ／ＩＰ連結）のうち必要によっていずれか一つによって計算された第１ＳＥＴ１００の位置情報を第２ＳＥＴ１２０に送信することができる。
【００６６】
ＳＬＣ２１１にとって第１ＳＥＴ１００の位置情報を第２ＳＥＴ１２０に送信するようにする方法は本発明の他の実施例にも適用可能である。
【００６７】
前記ＳＵＰＬ  ＩＮＩＴメッセージの詳細な説明は図１０を参照にして説明される。
【００６８】
第１ＳＥＴ１００がＳＵＰＬ  ＳＴＡＲＴメッセージのＡＣＫモード情報を利用して第１ＳＥＴ１００の位置情報受信を示す確認信号を送ることを第２ＳＥＴ１２０に要請する場合に、前記第２ＳＥＴ１２０は確認信号をＳＬＰ１１を通じて第１ＳＥＴ１００に送信することができる。
【００６９】
例えば、第２ＳＥＴ１２０を管理する位置サーバーがある場合には前記第２ＳＥＴ１２０は確認信号を位置サーバーに送信することができる。前記位置回答メッセージは確認メッセージを含んだＲＲＬＰ  ＳＳＲＰメッセージであり、第１ＳＥＴ１００の位置情報の送信結果をＳＬＰ１１０に知らせることができる。
【００７０】
前記位置情報送信過程は単純に実施例であるので、位置情報送信の手順が必要によって変わることがある。
【００７１】
図１Ｂは、本発明の望ましい第２実施例による位置情報送信方法を示す構想図である。
【００７２】
図１Ａの位置情報送信方法と比べて、第１ＳＥＴ１００がＳＵＰＬ  ＳＴＡＲＴメッセージをＳＬＰ１１０に送信する段階（Ｓ１０１）で前記ＳＵＰＬ  ＳＴＡＲＴメッセージ
に含まれた情報が図１Ａの情報と異なるという差だけが存在する。よって、説明の便宜のために図１Ｂの段階（Ｓ１０１）のみが説明される。図１Ａの位置情報送信方法のための多くの段階らが図１Ｂの望ましい実施例にも適用可能であることは当業者に自明な事実である。
【００７３】
第１ＳＥＴ１００は、位置追跡手続きを開始するためにＳＵＰＬ  ＳＴＡＲＴメッセージをＳＬＰ１１０に送信する。この時、第１ＳＥＴ１００は第２ＳＥＴ１２０の位置情報を送信することをＳＬＰ１１０に要請するか、または第１ＳＥＴ１００の位置情報を第２ＳＥＴ１２０に送信することをＳＬＰ１１０に要請する（Ｓ１０１）。前記要請作用のために、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、ＳＥＴ  ＩＤ情報及びＡＣＫモード情報などを含むことができる。この場合に、ＳＥＴ  ＩＤ情報はｔａｒｇｅｔ  ＳＥＴがｓｔａｒｔ  ＳＥＴの位置情報を獲得するように位置追跡手続きを開始するｓｔａｒｔ  ＳＥＴによって要請されるｔａｒｇｅｔ  ＳＥＴのＩＤであることがあるか、またはｓｔａｒｔ
ＳＥＴの位置情報の目的地としてｓｔａｒｔ  ＳＥＴによって要請される第３部分（ｔｈｉｒｄ  ｐａｒｔｙ）のＩＤであることがある。
【００７４】
これと関連して、ｔａｒｇｅｔ  ＳＥＴのＩＤは“Ｔａｒｇｅｔ  ＳＥＴ  ＩＤ”で表記することができるし、第３部分のＩＤは“Ｔｈｉｒｄ  Ｐａｒｔｙ  ＩＤ”で表記することができる。
【００７５】
例えば、位置追跡手続きを開始するＳＥＴが第１ＳＥＴ１００であり、前記第１ＳＥＴ１００によって要請されるｔａｒｇｅｔ  ＳＥＴが第２ＳＥＴ１２０である場合に、Ｔａｒｇｅｔ  ＳＥＴ  ＩＤは第２ＳＥＴ１２０のＩＤになることができる。位置追跡手続きを開始するＳＥＴが第１ＳＥＴ１００であり、前記第１ＳＥＴ１００の位置情報の送信目的地として第１ＳＥＴ１００によって要請される場合に、Ｔｈｉｒｄ  Ｐａｒｔｙ  ＩＤは第２ＳＥＴ１２０のＩＤになることができる。
【００７６】
図２Ａは本発明の望ましい第３実施例による位置情報送信方法を示す構想図である。特に、図２Ａは第１ＳＥＴがＨＮに位置するノン−ローミング場合と、第１ＳＥＴがＳＰＣと直接通信するプロキシモードを見せてくれる。
【００７７】
図１Ａの位置追跡システムと比べて、本発明の望ましい第３実施例による図２Ａの位置追跡システムは第１ＳＥＴ２００、ＳＬＰ２１０及び第２ＳＥＴ２２０を含んで構成される。図１Ａの位置追跡システムと異なり、図２Ａの位置追跡システムはＳＬＰ２１０内のＳＬＣ２１１とＳＰＣ２１２を含む。ここで、ＳＰＣ２１２は位置追跡対象端末である第１ＳＥＴ２００の位置情報を計算するための個体であり、ＳＬＣ２１１は、例えばＳＵＰＬセッション管理、ローミング、資源管理などのように全般的なＳＵＰＬプロトコルを管理する個体である。
【００７８】
第１ＳＥＴ２００はＳＵＰＬセッションを開始するためにデータ通信が可能になるように移動通信網にデータリンク連結を設定する（Ｓ２００）。
【００７９】
データリンク連結以後に、第１ＳＥＴ２００は位置追跡手続きを開始するためにＳＵＰＬ  ＳＴＡＲＴメッセージをＳＬＣ２１１に送信する。この時、第１ＳＥＴ２００は自分の位置情報を前記ＳＬＣ２１１から要請することができるか、または前記ＳＬＣ２１１に自分の位置情報を第２ＳＥＴ２２０に送信するように要請することができる。前記要請作用と関連して、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、前記第１ＳＥＴ２００の位置情報が受信される第２ＳＥＴのＩＤを示すｎｏｔｉｆｉｅｄ  ＳＥＴ−ｉｄ情報、ＭＯモード
情報及びＡＣＫモード情報などを含むことができる。
【００８０】
第１ＳＥＴ２００からＳＵＰＬ  ＳＴＡＲＴメッセージを受信するやいなや、ＳＬＣ２１１は前記第１ＳＥＴ２００のローミング状態を確認する（Ｓ２０２）。
【００８１】
前記第１ＳＥＴ２００のローミング状態を確認した以後に、ＳＬＣ２１１は第１ＳＥＴ２００とのセッションで使用するｓｅｓｓｉｏｎ−ｉｄを生成して、ＳＰＣ２１２で生成したｓｅｓｓｉｏｎ−ｉｄ情報、第１ＳＥＴ−ｉｄ情報、位置計算方法及び位置追跡プロトコル情報などを伝達して、第１ＳＥＴ２００との位置追跡セッションが始まることを知らせる（Ｓ２０３）。
【００８２】
ＳＬＣ２１１はＳＵＰＬ  ＲＥＳＰＯＮＳＥメッセージを第１ＳＥＴ２００に送信してサービス要請が許容されたことを第１ＳＥＴ２００に知らせて、位置追跡セッションの始まったことを第１ＳＥＴ２００に知らせる（Ｓ２０４）。前記ＳＵＰＬ  ＲＥＳＰＯＮＳＥメッセージはｓｅｓｓｉｏｎ−ｉｄ情報、ＳＰＣ−住所情報、ＳＥＴ  ａｕｔｈ−ｋｅｙ情報及びｋｅｙ−ｉｄ４情報などを含むことができる。この時、第１ＳＥＴ２００がＳＰＣ２１２と位置追跡セッションを開始するようにするために、ＳＬＣ２１１はＳＵＰＬ
ＲＥＳＰＯＮＳＥメッセージにＳＰＣ住所情報を含んで送信することができる。
【００８３】
ＳＬＣ２１１からＳＰＣ住所情報が含まれたＳＵＰＬ  ＲＥＳＰＯＮＳＥメッセージを受信するやいなや、第１ＳＥＴ２００はＳＬＣ２１１との連結を切ってＳＵＰＬ  ＰＯＳ
ＩＮＩＴメッセージをＳＰＣ２１２に送信して第１ＳＥＴ２００の実際位置追跡セッションを開始する。この場合に、ＳＰＣ２１２がＳＵＰＬ  ＰＯＳ  ＩＮＩＴメッセージを第１ＳＥＴ２００から受信したら、第１ＳＥＴ２００との位置追跡セッションの開始をＳＬＣ２１１に知らせる（Ｓ２０５）。
【００８４】
ＳＰＣ２１２と第１ＳＥＴ２００は多様な位置計算方法（例えば、ＳＥＴ−Ａｓｓｉｓｔｅｄ  Ａ−ＧＰＳ方法、ＳＥＴ−Ｂａｓｅｄ  Ａ−ＧＰＳ方法、Ｃｅｌｌ−ｉｄ方法など）と、多様な位置追跡プロトコル（ＧＳＭ：ＲＲＬＰ、３ＧＰＰ：ＲＲＣ、及び３ＧＰＰ２：ＴＩＡ−８０１）にしたがって前記第１ＳＥＴ２００の位置情報を計算する。
【００８５】
この時、ＳＰＣ２１２と第１ＳＥＴ２００との間に通信される位置追跡プロトコルメッセージはＳＵＰＬ  ＰＯＳメッセージにカプセル化されて位置追跡プロトコルメッセージを含んだＳＵＰＬ  ＰＯＳメッセージが送受信される（Ｓ２０６）。
【００８６】
第１ＳＥＴ２００の位置情報が段階（Ｓ２０６）で計算される場合に、ＳＰＣ２１２はＳＵＰＬ  ＥＮＤメッセージを第１ＳＥＴ２００に送信して位置追跡のためのＳＵＰＬセッションが終わったことを知らせて、第１ＳＥＴ２００はＳＰＣ２１２との連結を解止する。ＳＰＣ２１２はＳＵＰＬセッション終了をＳＬＣ２１１に知らせて、計算された位置情報をＳＬＣ２１１に送る（Ｓ２０７）。
【００８７】
ＳＬＣ２１１はＳＵＰＬ  ＰＯＳ  ＮＯＴＩＦＩＣＡＴＩＯＮメッセージによって計算された第１ＳＥＴ２００の位置情報を第２ＳＥＴ２２０に送信する。この時、ＳＵＰＬ  ＰＯＳ  ＮＯＴＩＦＩＣＡＴＩＯＮメッセージはＳＵＰＬ  ＩＮＩＴメッセージと同様な送信方式を使用することができる。また、計算された第１ＳＥＴの位置情報を第２ＳＥＴ２２０に送るためにＳＬＣ２１１を制御する方法は図１Ａの送信方式にも適用されることができる。
【００８８】
図２Ｂは、本発明の望ましい第４実施例による位置情報送信方法を示す構想図である。
【００８９】
図２Ａの位置情報送信方法と比べて、第１ＳＥＴ２００がＳＵＰＬ  ＳＴＡＲＴメッセージをＳＬＣ２１１に送信する段階で（Ｓ２０１）前記ＳＵＰＬ  ＳＴＡＲＴメッセージに含まれた情報のみで図２Ａと差がある。よって、説明の便宜のために図２Ｂの段階（Ｓ２０１）だけ説明しようとする。図２Ａの位置情報送信方法のための多くの段階らが図２Ｂの望ましい実施例にも適用可能であることは当業者に自明な事実である。
【００９０】
第１ＳＥＴ２００は位置追跡手続きを開始するためにＳＵＰＬ  ＳＴＡＲＴメッセージをＳＬＣ２１１に送信する。この時、第１ＳＥＴ２００はＳＬＰ２１０に第２ＳＥＴ２２０の位置情報を送ることを要請するか、または前記第１ＳＥＴ２００自分の位置情報を第２ＳＥＴ２２０に送ることを要請することもある（Ｓ２０１）。前記要請作用のために、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、ＳＥＴ  ＩＤ情報及びＡＣＫモード情報などを含むことができる。
【００９１】
例えば、位置追跡を開始するＳＥＴが第１ＳＥＴ２００であり、前記第１ＳＥＴ２００によって要求されるＳＥＴが第２ＳＥＴ２２０である場合に、ｔａｒｇｅｔ  ＳＥＴ  ＩＤは第２ＳＥＴ２２０のＩＤであることがある。位置追跡を開始するＳＥＴが第１ＳＥＴ２００であり、前記第１ＳＥＴ２００が自分の位置情報を送ることを願う第２部分が第２ＳＥＴ２２０である場合に、ｔｈｉｒｄ  ｐａｒｔｙ  ＩＤは第２ＳＥＴ２２０のＩＤであることがある。
【００９２】
図３Ａは本発明の望ましい第５実施例による位置情報送信方法を示す構想図である。特に、図３Ａは第１ＳＥＴがＨＮの代りにＶＮに位置したローミング場合と、第１ＳＥＴがＳＬＣを通じてＳＰＣと通信するプロキシモードを見せてくれる。
【００９３】
図３Ａの位置追跡システムは、位置追跡対象端末である第１ＳＥＴ３００、ホームネットワークサーバーに作用するＨ−ＳＬＰ３１０、訪問ネットワークサーバーに作用するＶ−ＳＬＰ３２０、第２ＳＥＴ３４０のネットワークに位置するサーバーであるＮ−ＳＬＰ３３０、及び第１ＳＥＴ３００の位置情報を受信する第２ＳＥＴ３４０を含んで構成される。ここで、前記第２ＳＥＴ３４０のネットワークに位置するサーバーをＮ−ＳＬＰ３３０で定義するが、前記Ｎ−ＳＬＰ３３０は論理的な個体でＨ−ＳＬＰ３１０と同一であることができることは、当業者に自明な事実である。
【００９４】
第１ＳＥＴ３００はＳＵＰＬセッションを開始するためにデータ通信が可能になるように移動通信網でデータリンク連結を設定する（Ｓ３００）。
【００９５】
データリンク連結以後に、第１ＳＥＴ３００は、位置追跡手続きを遂行するためにＳＵＰＬ  ＳＴＡＲＴメッセージをＨ−ＳＬＰ３１０に送る。この時、第１ＳＥＴ３００はＨ−ＳＬＰ３１０に自分の位置情報を要請するか、または自分の位置情報を第２ＳＥＴ３４０に送信することを要請することができる。前記要請作用のために、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、前記第１ＳＥＴ３００の位置情報が受信される第２ＳＥＴのＩＤを示すｎｏｔｉｆｉｅｄ  ＳＥＴ−ｉｄ情報、ＭＯモード情報及びＡＣＫモード情報などを含むことができる。
【００９６】
第１ＳＥＴ３００からＳＵＰＬ  ＳＴＡＲＴメッセージを受信するやいなや、Ｈ−ＳＬＰ３１０は前記第１ＳＥＴ３００のローミング状態を確認する（Ｓ３０２）。
【００９７】
以後に、Ｈ−ＳＬＰ３１０はＶ−ＳＬＰ３２０を通じて第１ＳＥＴ３００の位置を計算するため、ｓｅｓｓｉｏｎ−ｉｄ情報、ｌｉｄ情報、ｑｏｐ情報、ＳＥＴ  ｃａｐａｂｉ
ｌｉｔｙ情報、ｎｏｔｉｆｉｅｄ  ＳＥＴ−ｉｄ情報、ＭＯモード情報及びＡＣＫモード情報などを含んだＳＵＰＬ  ＳＴＡＲＴメッセージをＲＰＬ  ＳＳＲＬＩＲメッセージにカプセル化してＶ−ＳＬＰ３２０にトンネリング（ｔｕｎｎｅｌｉｎｇ）する（Ｓ３０３）。
【００９８】
Ｖ−ＳＬＰ３２０はＳＵＰＬセッション要請を受諾して、ＳＵＰＬ  ＲＥＳＰＯＮＳＥメッセージ（ｓｅｓｓｉｏｎ−ｉｄ情報及びＶ−ＳＬＰ住所情報などを含む）をＲＬＰ  ＳＳＲＬＩＡ（Ｒｏａｍｉｎｇ  Ｌｏｃａｔｉｏｎ  Ｐｒｏｔｏｃｏｌ  Ｓｔａｎｄａｒｄ  ＳＵＰＬ  Ｒｏａｍｉｎｇ  Ｌｏｃａｔｉｏｎ  Ｉｍｍｅｄｉａｔｅ  Ａｎｓｗｅｒ）メッセージにカプセル化してＨ−ＳＬＰ３１０にトンネリングする（Ｓ３０４）。
【００９９】
Ｈ−ＳＬＰ３１０はＶ−ＳＬＰ３２０から受信したＲＬＰ  ＳＳＲＬＩＡメッセージをカプセル開放（ｄｅ−ｃａｐｓｕｌａｔｉｏｎ）して、ＳＵＰＬ  ＲＥＳＰＯＮＳＥメッセージ（ｓｅｓｓｉｏｎ−ｉｄ情報などを含む）を第１ＳＥＴ３００に送信する。この時、Ｈ−ＳＬＰ３１０は第１ＳＥＴ３００がＨ−ＳＬＰ３１０を通じてＶ−ＳＬＰ３２０と通信するようにするためにＳＵＰＬ  ＲＥＳＰＯＮＳＥメッセージにＶ−ＳＬＰ住所を含まないこともある。
【０１００】
第１ＳＥＴ３００がＨ−ＳＬＰ３１０からＳＵＰＬ  ＲＥＳＰＯＮＳＥメッセージを成功的に受信する場合に、前記第１ＳＥＴ３００は実際位置追跡作動の開始をＨ−ＳＬＰ３１０に知らせて、ＳＵＰＬ  ＰＯＳ  ＩＮＩＴメッセージ（ｓｅｓｓｉｏｎ−ｉｄ情報、ｌｉｄ情報及びＳＥＴ  ｃａｐａｂｉｌｉｔｙ程度などを含む）をＨ−ＳＬＰ３１０に送る（Ｓ３０６）。
【０１０１】
第１ＳＥＴ３００からＳＵＰＬ  ＰＯＳ  ＩＮＩＴメッセージを受信するやいなや、Ｈ−ＳＬＰはＳＵＰＬ  ＰＯＳ  ＩＮＩＴメッセージをＶ−ＳＬＰ３２０にトンネリングする（Ｓ３０７）。
【０１０２】
ＳＵＰＬ  ＰＯＳ  ＩＮＩＴメッセージを含んだＲＬＰ  ＳＳＲＰメッセージを受信するやいなや、Ｖ−ＳＬＰ３２０と第１ＳＥＴ３００は多様な位置計算方法（例えば、ＳＥＴ−Ａｓｓｉｓｔｅｄ  Ａ−ＧＰＳ方法、ＳＥＴ−Ｂａｓｅｄ  Ａ−ＧＰＳ方法、Ｃｅｌｌ−ｉｄ方法など）と、多様な位置追跡プロトコル（ＧＳＭ：ＲＲＬＰ、３ＧＰＰ：ＲＲＣ、及び３ＧＰＰ２：ＴＩＡ−８０１）によって第１ＳＥＴ３００の位置を計算して、前記第１ＳＥＴ３００の位置情報を獲得する（Ｓ３０８）。この時、Ｖ−ＳＬＰ３２０と第１ＳＥＴ３００との間に通信されるメッセージはＨ−ＳＬＰ３１０を通じて送受信される。
【０１０３】
前記段階（Ｓ３０８）で第１ＳＥＴ３００の位置情報が計算されて獲得されると、Ｖ−ＳＬＰ３２０はＲＬＰ  ＳＳＲＰメッセージを通じてＳＵＰＬ  ＥＮＤメッセージ（ｓｅｓｓｉｏｎ−ｉｄ情報及びｐｏｓｒｅｓｕｌｔ情報含み）をＨ−ＳＬＰ３１０に送信する（Ｓ３０９）。
【０１０４】
Ｈ−ＳＬＰ３１０はＳＵＰＬ  ＥＮＤメッセージを獲得するためにＲＬＰ  ＳＳＲＰメッセージをカプセル開放して前記ＳＵＰＬ  ＥＮＤメッセージを第１ＳＥＴ３００に送信して位置追跡サービスのためのＳＵＰＬセッションの終了を前記第１ＳＥＴ３００に知らせる。第１ＳＥＴ３００はＨ−ＳＬＰ３１０との連結を解止する（Ｓ３１０）。
【０１０５】
Ｈ−ＳＬＰ３１０とＮ−ＳＬＰ３３０が同一な第１場合とＨ−ＳＬＰ３１０とＮ−ＳＬＰ３３０がお互いに異なる第２場合は段階（Ｓ３１０）から過程が変わって、以下で前記第１及び第２場合が説明される。
【０１０６】
Ｈ−ＳＬＰ３１０とＮ−ＳＬＰ３３０がお互いに異なる場合に、Ｈ−ＳＬＰ３１０は計算された位置情報（ｐｏｓｒｅｓｕｌｔ）を含んだＳＵＰＬ  ＰＯＳ  ＮＯＴＩＦＩＣＡＴＩＯＮメッセージをＲＬＰ  ＳＳＲＰメッセージにカプセル化してＮ−ＳＬＰ３３０にトンネリングする（Ｓ３１１）。
【０１０７】
Ｎ−ＳＬＰ３３０は受信したＲＬＰ  ＳＳＲＰメッセージをカプセル開放して、計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ３４０に送信する（Ｓ３１２）。この時、ＳＵＰＬ  ＰＯＳ
ＮＯＴＩＦＩＣＡＴＩＯＮメッセージはＳＵＰＬ  ＩＮＩＴメッセージの方法と同一な送信方式を使用することができるし、計算された位置情報（ｐｏｓｒｅｓｕｌｔ）を含んだ他の形態がＳＵＰＬ  ＰＯＳ  ＮＯＴＩＦＩＣＡＴＩＯＮメッセージで使用されることもできることは当業者に自明な事実である。
【０１０８】
反面に、Ｈ−ＳＬＰ３１０とＮ−ＳＬＰ３３０が同一な場合に、Ｈ−ＳＬＰ３１０は計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ３４０に送信することができる。
【０１０９】
図３Ｂは本発明の望ましい第６実施例による位置情報送信方法を示す構想図である。
【０１１０】
図３Ａに示す位置情報送信方法と比べて、第１ＳＥＴ３００がＨ−ＳＬＰ３１０にＳＵＰＬ  ＳＴＡＲＴメッセージを送信する段階（Ｓ３０１）で前記ＳＵＰＬ  ＳＴＡＲＴメッセージが含む情報のみに差がある。よって、説明の便宜のために図３ＢのＳ３０１段階だけ説明する。図３Ａで説明した位置情報送信方法のための多くの段階らが図３Ｂの実施例にも適用可能であることは当業者に自明である。
【０１１１】
第１ＳＥＴ３００は位置追跡手続きを開始するためにＳＵＰＬ  ＳＴＡＲＴメッセージをＨ−ＳＬＰ３１０に送信する。この時、第１ＳＥＴ３００はＨ−ＳＬＰ３１０に第２ＳＥＴ３４０の位置情報を要請するか、または前記第１ＳＥＴ３００自分の位置情報を第２ＳＥＴ３４０に送ることを要請する（Ｓ３０１）。前記要請作業のために、前記ＳＵＰＬ
ＳＴＡＲＴメッセージはｓｅｓｓｉｏｎ−ｉｄ情報、ｌｉｄ情報、ｑｏｐ情報、ＳＥＴ
ｃａｐａｂｉｌｉｔｙ情報、ＳＥＴ  ＩＤ情報及びＡＣＫモード情報などを含むことができる。
【０１１２】
例えば、位置追跡手続きを開始するＳＥＴが第１ＳＥＴ３００であり、前記第１ＳＥＴ３００によって要請されるｔａｒｇｅｔ  ＳＥＴが第２ＳＥＴ３４０である場合に、ｔａｒｇｅｔ  ＳＥＴ  ＩＤは第２ＳＥＴ３４０のＩＤであることがある。位置追跡手続きを開始するＳＥＴが第１ＳＥＴであり、前記第１ＳＥＴ３００が自分の位置情報を送ることを願う第３部分が第２ＳＥＴ３４０である場合に、ｔｈｉｒｄ  ｐａｒｔｙ  ＩＤは第２ＳＥＴ３４０のＩＤであることがある。
【０１１３】
図４Ａは、本発明の望ましい第７実施例による位置情報送信方法を示す構想図である。特に、図４Ａは第１ＳＥＴがＨＮの代りにＶＮに位置してＶ−ＳＰＣが位置追跡手続きを遂行するローミング場合と、第１ＳＥＴがＳＰＣと直接通信してＶ−ＳＰＣが位置追跡手続きを遂行するノン−プロキシモードを示す。
【０１１４】
図４Ａの位置追跡システムは、位置追跡対象端末である第１ＳＥＴ４００と、ＶＮサーバーであるＶ−ＳＬＰ４１０と、ＨＮサーバーであるＨ−ＳＬＰ４２０と、第２ＳＥＴ４４０のネットワークに位置するＮ−ＳＬＰ４３０と、前記第１ＳＥＴ４００の位置情報を受信する第２ＳＥＴ４４０を含んで構成される。ここで、Ｖ−ＳＬＰ４１０は位置追跡対
象端末として作用する第１ＳＥＴ４００の位置情報を計算するためのＶ−ＳＰＣ４１２と、例えばＳＵＰＬセッション管理、ローミング、資源管理などのように全般的なＳＵＰＬプロトコルを管理するためのＶ−ＳＬＣ４１１を含む。これと関連して、第２ＳＥＴ４４０のネットワークに位置したサーバーはＮ−ＳＬＰ４３０で定義されるが、論理的な個体として作用する前記Ｎ−ＳＬＰ４３０はＨ−ＳＬＰ４２０と同一であることもあるし、相異であることもある。
【０１１５】
第１ＳＥＴ４００はＳＵＰＬセッションを開始するためにデータ通信が可能になるように移動通信網でデータリンク連結を設定する（Ｓ４００）。
【０１１６】
データリンク連結を実行した以後に、第１ＳＥＴ４００は位置追跡手続きを開始するためにＳＵＰＬ  ＳＴＡＲＴメッセージをＨ−ＳＬＰ４２０に送信する。この時、第１ＳＥＴ４００はＨ−ＳＬＰ４２０に自分の位置情報を要請するか、または前記第１ＳＥＴ４００の位置情報を第２ＳＥＴ４４０に送信することを要請することができる（Ｓ４０１）。前記要請作業のために、前記ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、第１ＳＥＴ４００の位置情報が受信される第２ＳＥＴのＩＤを示すｎｏｔｉｆｉｅｄ  ＳＥＴ−ｉｄ情報、ＭＯモード情報、及びＡＣＫモード情報などを含むことができる。
【０１１７】
第１ＳＥＴ４００からＳＵＰＬ  ＳＴＡＲＴメッセージを受信するやいなや、Ｈ−ＳＬＰ４２０は第１ＳＥＴ４００のローミング状態を確認する（Ｓ４０２）。
【０１１８】
以後、Ｈ−ＳＬＰ４２０はＶ−ＳＬＣ４１１を通じて第１ＳＥＴ４００の位置を計算するために、ＳＵＰＬ  ＳＴＡＲＴメッセージを（ｓｅｓｓｉｏｎ−ｉｄ情報、ｌｉｄ情報、ｑｏｐ情報、ＳＥＴ  ｃａｐａｂｉｌｉｔｙ情報などを含む）ＲＬＰ  ＳＳＲＬＩＲメッセージにカプセル化してＶ−ＳＬＣ４１１にトンネリングする（Ｓ４０３）。
【０１１９】
Ｖ−ＳＬＣ４１１はＳＵＰＬセッション要請を許容して、第１ＳＥＴ４００とのセッションに使用するｓｅｓｓｉｏｎ−ｉｄを割り当てる。また、Ｖ−ＳＬＣ４１１は割り当てられたｓｅｓｓｉｏｎ−ｉｄ情報、第１ＳＥＴの情報、位置計算方法情報及び位置追跡プロトコル情報をＶ−ＳＰＣ４１２に送って、第１ＳＥＴ４００と関連される位置追跡セッションの開始を前記Ｖ−ＳＰＣ４１２に知らせる（Ｓ４０４）。
【０１２０】
Ｖ−ＳＬＣ４１１はＳＵＰＬ  ＲＥＳＰＯＮＳＥメッセージ（ｓｅｓｓｉｏｎ−ｉｄ情報及びＶ−ＳＬＰ住所などを含み）をＲＬＰ  ＳＳＲＬＩＡメッセージにカプセル化してＨ−ＳＬＰ４２０にトンネリングする。この時、Ｖ−ＳＬＣ４１１は第１ＳＥＴ４００がＶ−ＳＰＣ４１２と位置追跡セッションを設定するようにＳＵＰＬ  ＲＥＳＰＯＮＳＥメッセージにＶ−ＳＰＣ住所を含んで送信する（Ｓ４０５）。
【０１２１】
Ｈ−ＳＬＰ４２０はＶ−ＳＰＣ４１２と第１ＳＥＴ４００との間のセッションに使用される認証関連キー（ｋｅｙ）を生成して、ＳＵＰＬ  ＡＵＴＨ  ＲＥＳＰメッセージ（ｓｅｓｓｉｏｎ−ｉｄ情報、ＳＰＣ  ａｕｔｈ−ｋｅｙ情報及びｋｅｙ−ｉｄ情報などを含み）をＲＬＰ  ＳＳＲＰメッセージにカプセル化して、前記カプセル化関連情報をＶ−ＳＬＣ４１１に送る（Ｓ４０６）。
【０１２２】
Ｈ−ＳＬＰ４２０は前記段階（Ｓ４０５）からＶ−ＳＬＣ４１１から受信したＲＬＰ  ＳＳＲＬＩＡメッセージをカプセル開放して、ＳＵＰＬ  ＲＥＳＰＯＮＳＥメッセージ（ｓｅｓｓｉｏｎ−ｉｄ情報、Ｖ−ＳＰＣ住所情報、ＳＥＴ  ａｕｔｈ−ｋｅｙ情報及びｋｅｙ−ｉｄ４情報などを含み）を第１ＳＥＴ４００に送信する（Ｓ４０７）。前記ＳＵＰＬ  ＲＥＳＰＯＮＳＥメッセージはＶ−ＳＰＣ住所情報及び認証関連キー情報を含むこと
ができる（Ｓ４０７）。
【０１２３】
第１ＳＥＴ４００がＨ−ＳＬＰ４２０からＳＵＰＬ  ＲＥＳＰＯＮＳＥメッセージを成功的に受信する場合に、前記第１ＳＥＴ４００はＨ−ＳＬＰ４２０との連結を解止して、受信された情報を利用してＶ−ＳＰＣ４１２で位置追跡セッションを設定する。第１ＳＥＴ４００は位置追跡手続きの開始を知らせるＳＵＰＬ  ＰＯＳ  ＩＮＩＴメッセージ（ｓｅｓｓｉｏｎ−ｉｄ情報、ｌｉｄ情報及びＳＥＴ  ｃａｐａｂｉｌｉｔｙ情報などを含み）をＶ−ＳＰＣ４１２に送る。第１ＳＥＴ４００からＳＵＰＬ  ＰＯＳ  ＩＮＩＴメッセージを受信するやいなや、Ｖ−ＳＰＣ４１２は第１ＳＥＴ４００と関連される位置情報セッションの開始を前記第１ＳＥＴ４００に知らせる（Ｓ４０８）。
【０１２４】
ＳＵＰＬ  ＰＯＳ  ＩＮＩＴメッセージがＶ−ＳＰＣ４１２と第１ＳＥＴ４００とに受信される場合に、前記Ｖ−ＳＰＣ４１２と第１ＳＥＴ４００とは多様な位置計算方法（例えば、ＳＥＴ−Ａｓｓｉｓｔｅｄ  Ａ−ＧＰＳ方法、ＳＥＴ−Ｂａｓｅｄ  Ａ−ＧＰＳ方法、Ｃｅｌｌ−ｉｄ方法など）と、多様な位置追跡プロトコル（ＧＳＭ：ＲＲＬＰ、３ＧＰＰ：ＲＲＣ、及び３ＧＰＰ２：ＴＩＡ−８０１）によって第１ＳＥＴ４００の位置情報を計算して前記第１ＳＥＴ４００の位置情報を獲得する（Ｓ４０９）。この時、Ｖ−ＳＰＣ４１２と第１ＳＥＴ４００との間に通信される位置追跡プロトコルメッセージはＳＵＰＬ  ＰＯＳメッセージにカプセル化されて前記位置情報プロトコルメッセージを含んだＳＵＰＬ  ＰＯＳメッセージの送受信が遂行される。
【０１２５】
前記段階（Ｓ４０９）で第１ＳＥＴ４００の位置情報が計算されて獲得されると、Ｖ−ＳＰＣ４１２はＳＵＰＬ  ＥＮＤメッセージ（ｓｅｓｓｉｏｎ−ｉｄ情報及びｐｏｓｒｅｓｕｌｔ情報含み）を前記第１ＳＥＴ４００に送信して、第１ＳＥＴ４００はＶ−ＳＰＣ４１２との連結を解止する（Ｓ４１０）。
【０１２６】
Ｖ−ＳＰＣ４１２は計算された第１ＳＥＴ４００の位置情報をＶ−ＳＬＣ４１１に送信して、ＳＵＰＬセッションの終了をＶ−ＳＬＣ４１１に知らせる（Ｓ４１１）。
【０１２７】
計算された第１ＳＥＴ４００の位置情報をＶ−ＳＰＣ４１２から受信するやいなや、Ｖ−ＳＬＣ４１１はＲＬＰ  ＳＳＲＰメッセージを利用してＳＵＰＬ  ＥＮＤメッセージ（ｓｅｓｓｉｏｎ−ｉｄ情報及び計算された位置情報（ｐｏｓｒｅｓｕｌｔ）含み）をＨ−ＳＣＬＰ４２０にトンネリングする（Ｓ４１２）。
【０１２８】
Ｈ−ＳＬＰ４２０とＮ−ＳＬＰ４３０が同一な第１場合とＨ−ＳＬＰ４２０とＮ−ＳＬＰ４３０がお互いに異なる第２場合は段階（Ｓ４１２）から過程が変わって、以下で前記第１及び第２場合が説明される。
【０１２９】
Ｈ−ＳＬＰ４２０とＮ−ＳＬＰ４３０がお互いに異なる場合に、Ｈ−ＳＬＰ４２０は計算された位置情報（ｐｏｓｒｅｓｕｌｔ）を含んだＳＵＰＬ  ＰＯＳ  ＮＯＴＩＦＩＣＡＴＩＯＮメッセージをＲＬＰ  ＳＳＲＰメッセージにカプセル化してＮ−ＳＬＰ４３０にトンネリングする（Ｓ４１３）。
【０１３０】
Ｎ−ＳＬＰ４３０は受信したＲＬＰ  ＳＳＲＰメッセージをカプセル開放して、計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ４４０に送信する（Ｓ４１４）。この時、ＳＵＰＬ  ＰＯＳ
ＮＯＴＩＦＩＣＡＴＩＯＮメッセージはＳＵＰＬ  ＩＮＩＴメッセージの送信方式と同一な送信方式を使用することができるし、計算された位置情報（ｐｏｓｒｅｓｕｌｔ）を含んだ他の形態がＳＵＰＬ  ＰＯＳ  ＮＯＴＩＦＩＣＡＴＩＯＮメッセージで使用されることもできることは当業者に自明な事実である。
【０１３１】
反面に、Ｈ−ＳＬＰ４２０とＮ−ＳＬＰ４３０が同一な場合に、Ｈ−ＳＬＰ４２０は計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ４４０に送信することができる。
【０１３２】
図４Ｂは、本発明の望ましい第８実施例による位置情報送信方法を示す構想図である。
【０１３３】
図４Ａに示す位置情報送信方法と比べて、第１ＳＥＴ４００がＳＵＰＬ  ＳＴＡＲＴメッセージをＨ−ＳＬＰ４２０に送信する段階（Ｓ４０１）で前記ＳＵＰＬ  ＳＴＡＲＴメッセージに含まれた情報のみに差がある。よって、説明の便宜のために図４ＢのＳ４０１段階のみが説明される。図４Ａで説明した位置情報送信方法のための多くの段階らが図４Ｂの実施例にも適用可能であることは当業者に自明な事実である。
【０１３４】
第１ＳＥＴ４００は位置追跡手続きを開始するためにＳＵＰＬ  ＳＴＡＲＴメッセージをＨ−ＳＬＰ４２０に送信する。この時、第１ＳＥＴ４００はＨ−ＳＬＰ４２０に第２ＳＥＴ４４０の位置情報を要請するか、または前記第１ＳＥＴ４００自分の位置情報を第２ＳＥＴ４４０に送ることを要請する（Ｓ４０１）。前記要請作業のために、前記ＳＵＰＬ
ＳＴＡＲＴメッセージはｓｅｓｓｉｏｎ−ｉｄ情報、ｌｉｄ情報、ｑｏｐ情報、ＳＥＴ
ｃａｐａｂｉｌｉｔｙ情報、ＳＥＴ  ＩＤ情報及びＡＣＫモード情報などを含むことができる。
【０１３５】
例えば、位置追跡手続きを開始するＳＥＴが第１ＳＥＴ４００であり、前記第１ＳＥＴ３００によって要請されるｔａｒｇｅｔ  ＳＥＴが第２ＳＥＴ４４０である場合に、ｔａｒｇｅｔ  ＳＥＴ  ＩＤは第２ＳＥＴ４４０のＩＤであることがある。位置追跡手続きを開始するＳＥＴが第１ＳＥＴであり、前記第１ＳＥＴ４００が自分の位置情報を送ることを願う第３部分が第２ＳＥＴ４４０である場合に、ｔｈｉｒｄ  ｐａｒｔｙ  ＩＤは第２ＳＥＴ４４０のＩＤであることがある。
【０１３６】
図５Ａは本発明の望ましい第９実施例による位置情報送信方法を示す構想図である。特に、図５Ａは第１ＳＥＴがＨＮの代りにＶＮに位置してＶ−ＳＰＣが位置追跡手続きを遂行するローミング場合と、第１ＳＥＴがＳＰＣと直接通信してＶ−ＳＰＣが位置追跡手続きを遂行するノン−プロキシモードを示す。
【０１３７】
図５Ａの位置追跡システムは、位置追跡対象端末である第１ＳＥＴ５００と、ＨＮサーバーであるＨ−ＳＬＰ５１０と、ＶＮサーバーであるＶ−ＳＬＰ５２０と、第２ＳＥＴ５４０のネットワークに位置するＮ−ＳＬＰ５３０と、前記第１ＳＥＴ５００の位置情報を受信する第２ＳＥＴ５４０を含んで構成される。これと関連して、第２ＳＥＴ５４０のネットワークに位置したサーバーはＮ−ＳＬＰ５３０で定義されるが、論理的な個体として作用する前記Ｎ−ＳＬＰ５３０はＨ−ＳＬＰ５１０と同一であることもあるし、相異であることもある。
【０１３８】
第１ＳＥＴ５００は、ＳＵＰＬセッションを開始するためにデータ通信が可能になるようにデータリンク連結を移動通信ネットワークに設定する（Ｓ５００）。
【０１３９】
データリンク連結を実行した以後に、第１ＳＥＴ５００は位置追跡手続きを開始するためにＳＵＰＬ  ＳＴＡＲＴメッセージをＨ−ＳＬＰ５１０に送信する。この時、第１ＳＥＴ５００はＨ−ＳＬＰ５１０に自分の位置情報を要請するか、または前記第１ＳＥＴ５００の位置情報を第２ＳＥＴ５４０に送信することを要請することがある。前記要請作業のために、前記ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、第１ＳＥＴ５００の位置情報が受信
される第２ＳＥＴのＩＤを示すｎｏｔｉｆｉｅｄ  ＳＥＴ−ｉｄ情報、ＭＯモード情報、及びＡＣＫモード情報などを含むことができる（Ｓ５０１）。
【０１４０】
第１ＳＥＴ５００からＳＵＰＬ  ＳＴＡＲＴメッセージを受信するやいなや、Ｈ−ＳＬＰ５１０は第１ＳＥＴ５００のローミング状態を確認する（Ｓ５０２）。
【０１４１】
以後、Ｈ−ＳＬＰ５１０は自分の位置追跡セッションを実行して、Ｖ−ＳＬＰ５２０から計算されない第１ＳＥＴ５００の位置情報を要請するために、ＲＬＰ  ＳＲＬＩＲ（Ｒｏａｍｉｎｇ  Ｌｏｃａｔｉｏｎ  Ｐｒｏｔｏｃｏｌ  Ｓｔａｎｄａｒｄ  Ｒｏａｍｉｎｇ  Ｌｏｃａｔｉｏｎ  Ｉｍｍｅｄｉａｔｅ  Ｒｅｑｕｅｓｔ）メッセージ（ｓｅｓｓｉｏｎ−ｉｄ情報、ｌｉｄ情報、ｑｏｐ情報、ＳＥＴ  ｃａｐａｂｉｌｉｔｙ情報などを含み）をＶ−ＳＬＰ５２０に送る（Ｓ５０３）。
【０１４２】
Ｖ−ＳＬＰ５２０はＲＬＰ  ＳＲＬＩＡメッセージを通じて計算されない位置情報をＨ−ＳＬＰ５１０に送信する（Ｓ５０４）。
【０１４３】
Ｈ−ＳＬＰ５１０はＳＵＰＬ  ＲＥＳＰＯＮＳＥメッセージ（ｓｅｓｓｉｏｎ−ｉｄ情報などを含み）を第１ＳＥＴ５００に送信して第１ＳＥＴ５００にサービス要請許容を知らせて位置追跡手続きの開始をまた知らせる（Ｓ５０５）。
【０１４４】
第１ＳＥＴ５００がＨ−ＳＬＰ５１０からＳＵＰＬ  ＲＥＳＰＯＮＳＥメッセージを成功的に受信する場合に、前記第１ＳＥＴ５００は第１ＳＥＴ５００の実際位置追跡の開始を知らせるＳＵＰＬ  ＰＯＳ  ＩＮＩＴメッセージ（ｓｅｓｓｉｏｎ−ｉｄ情報、ｌｉｄ情報及びＳＥＴ  ｃａｐａｂｉｌｉｔｙ情報などを含み）をＨ−ＳＬＰ５１０に送る（Ｓ５０６）。
【０１４５】
Ｈ−ＳＬＰ５１０が第１ＳＥＴ５００からＳＵＰＬ  ＰＯＳ  ＩＮＩＴメッセージを受信すると、前記Ｈ−ＳＬＰ５１０と第１ＳＥＴ５００は多様な位置計算方法（例えば、ＳＥＴ−Ａｓｓｉｓｔｅｄ  Ａ−ＧＰＳ方法、ＳＥＴ−Ｂａｓｅｄ  Ａ−ＧＰＳ方法、Ｃｅｌｌ−ｉｄ方法など）と、多様な位置追跡プロトコル（ＧＳＭ：ＲＲＬＰ、３ＧＰＰ：ＲＲＣ、及び３ＧＰＰ２：ＴＩＡ−８０１）によって第１ＳＥＴ５００の位置を計算する（Ｓ５０７）。
【０１４６】
この時、Ｈ−ＳＬＰ５１０と第１ＳＥＴ５００との間に通信される位置追跡プロトコルメッセージがＳＵＰＬ  ＰＯＳメッセージにカプセル化されて前記位置追跡プロトコルメッセージを含んだＳＵＰＬ  ＰＯＳメッセージが送受信される（Ｓ５０７）。
【０１４７】
第１ＳＥＴ５００の位置情報が前記段階（Ｓ５０７）で計算されて獲得されると、Ｈ−ＳＬＰ５１０はＳＵＰＬ  ＥＮＤメッセージ（ｓｅｓｓｉｏｎ−ｉｄ情報及びｐｏｓｒｅｓｕｌｔ情報含み）を前記第１ＳＥＴ５００に送信して前記第１ＳＥＴ５００に位置追跡のためのＳＵＰＬセッションの終了を知らせて、第１ＳＥＴ５００はＨ−ＳＬＰ５１０との連結を解除する（Ｓ５０８）。
【０１４８】
Ｈ−ＳＬＰ５１０とＮ−ＳＬＰ５３０が同一な第１場合とＨ−ＳＬＰ５１０とＮ−ＳＬＰ５３０がお互いに異なる第２場合は段階（Ｓ５０８）から過程が変わって、以下で前記第１及び第２場合が説明される。
【０１４９】
Ｈ−ＳＬＰ５１０とＮ−ＳＬＰ５３０とがお互いに異なる場合に、Ｈ−ＳＬＰ５１０は計算された位置情報（ｐｏｓｒｅｓｕｌｔ）を含んだＳＵＰＬ  ＰＯＳ  ＮＯＴＩＦＩＣＡＴＩＯＮメッセージをＲＬＰ  ＳＳＲＰメッセージにカプセル化してＮ−ＳＬＰ５３０
にトンネリングする（Ｓ５０９）。
【０１５０】
Ｎ−ＳＬＰ５３０は受信したＲＬＰ  ＳＳＲＰメッセージをカプセル開放して、計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ５４０に送信する（Ｓ５１０）。
【０１５１】
この時、ＳＵＰＬ  ＰＯＳ  ＮＯＴＩＦＩＣＡＴＩＯＮメッセージはＳＵＰＬ  ＩＮＩＴメッセージの送信方式と同一な送信方式を使用することができるし、計算された位置情報（ｐｏｓｒｅｓｕｌｔ）を含んだ他の形態がＳＵＰＬ  ＰＯＳ  ＮＯＴＩＦＩＣＡＴＩＯＮメッセージで使用されることもできることは当業者に自明な事実である。
【０１５２】
反面に、Ｈ−ＳＬＰ５１０とＮ−ＳＬＰ５３０とが同一な場合に、Ｈ−ＳＬＰ５１０は計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ５４０に送信することができる。
【０１５３】
図５Ｂは、本発明の望ましい第１０実施例による位置情報送信方法を示す構想図である。
【０１５４】
図５Ａに示す位置情報送信方法と比べて、第１ＳＥＴ５００がＳＵＰＬ  ＳＴＡＲＴメッセージをＨ−ＳＬＰ５１０に送信する段階（Ｓ５０１）で前記ＳＵＰＬ  ＳＴＡＲＴメッセージに含まれた情報のみに差がある。よって、説明の便宜のために図５ＢのＳ５０１段階のみが説明される。図５Ａで説明した位置情報送信方法のための多くの段階らが図５Ｂの実施例にも適用可能であることは当業者に自明な事実である。
【０１５５】
第１ＳＥＴ５００は位置追跡手続きを開始するためにＳＵＰＬ  ＳＴＡＲＴメッセージをＨ−ＳＬＰ５１０に送信する。この時、第１ＳＥＴ５００はＨ−ＳＬＰ５１０に第２ＳＥＴ５４０の位置情報を要請するか、または前記第１ＳＥＴ５００自分の位置情報を第２ＳＥＴ５４０に送ることを要請する（Ｓ５０１）。前記要請作業のために、前記ＳＵＰＬ
ＳＴＡＲＴメッセージはｓｅｓｓｉｏｎ−ｉｄ情報、ｌｉｄ情報、ｑｏｐ情報、ＳＥＴ
ｃａｐａｂｉｌｉｔｙ情報、ＳＥＴ  ＩＤ情報及びＡＣＫモード情報などを含むことができる。
【０１５６】
例えば、位置追跡手続きを開始するＳＥＴが第１ＳＥＴ５００であり、前記第１ＳＥＴ５００によって要請されるｔａｒｇｅｔ  ＳＥＴが第２ＳＥＴ５４０である場合に、ｔａｒｇｅｔ  ＳＥＴ  ＩＤは第２ＳＥＴ５４０のＩＤであることがある。位置追跡手続きを開始するＳＥＴが第１ＳＥＴ５００であり、前記第１ＳＥＴ５００が自分の位置情報を送ることを願う第３部分が第２ＳＥＴ５４０である場合に、ｔｈｉｒｄ  ｐａｒｔｙ  ＩＤは第２ＳＥＴ５４０のＩＤであることがある。
【０１５７】
図６Ａは、本発明の望ましい第１１実施例による位置情報送信方法を示す構想図である。特に、図６Ａは第１ＳＥＴがＨＮの代りにＶＮに位置してＨ−ＳＰＣが位置追跡手続きを遂行するローミング場合と、第１ＳＥＴがＳＰＣと直接通信してＨ−ＳＰＣが位置追跡手続きを遂行するノン−プロキシモードを示す。
【０１５８】
図６Ａの位置追跡システムは、位置追跡対象端末である第１ＳＥＴ６００と、ＨＮサーバーであるＨ−ＳＬＰ６１０と、ＶＮサーバーであるＶ−ＳＬＰ６２０と、第２ＳＥＴ６４０のネットワークに位置するＮ−ＳＬＰ６３０と、前記第１ＳＥＴ６００の位置情報を受信する第２ＳＥＴ６４０を含んで構成される。ここで、Ｈ−ＳＬＰ６１０は位置追跡対象端末として作用する第１ＳＥＴ６００の位置情報を計算するためのＨ−ＳＰＣ６１２と、例えばＳＵＰＬセッション管理、ローミング、資源管理などのように全般的なＳＵＰＬ
プロトコルを管理するためのＨ−ＳＬＣ６１１を含む。これと関連して、第２ＳＥＴ６４０のネットワークに位置したサーバーはＮ−ＳＬＰ６３０で定義されるが、論理的な個体として作用する前記Ｎ−ＳＬＰ６３０はＨ−ＳＬＰ６１０と同一であることもあるし、相異であることもある。
【０１５９】
第１ＳＥＴ６００はＳＵＰＬセッションを開始するためにデータ通信が可能になるようにデータリンク連結を移動通信ネットワークで設定する（Ｓ６００）。
【０１６０】
データリンク連結を実行した以後に、第１ＳＥＴ６００は位置追跡手続きを開始するためにＳＵＰＬ  ＳＴＡＲＴメッセージをＨ−ＳＬＣ６１１に送信する。
【０１６１】
この時、第１ＳＥＴ６００は、Ｈ−ＳＬＣ６１１に自分の位置情報を要請するか、または前記第１ＳＥＴ６００の位置情報を第２ＳＥＴ６４０に送信することを要請することができる（Ｓ６０１）。前記要請作業のために、前記ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、第１ＳＥＴ６００の位置情報が受信される第２ＳＥＴのＩＤを示すｎｏｔｉｆｉｅｄ  ＳＥＴ−ｉｄ情報、ＭＯモード情報、及びＡＣＫモード情報などを含むことができる。
【０１６２】
第１ＳＥＴ６００からＳＵＰＬ  ＳＴＡＲＴメッセージを受信するやいなや、Ｈ−ＳＬＣ６１１は第１ＳＥＴ６００のローミング状態を確認する（Ｓ６０２）。
【０１６３】
以後、Ｈ−ＳＬＣ６１１はＨ−ＳＬＣ６１２が位置追跡セッションを遂行することができるし、Ｖ−ＳＬＰ６２０から計算されない位置情報を要請するように、ＲＬＰ  ＳＲＬＩＲメッセージ（ｍｓｉｄ情報及びｌｉｄ情報などを含み）をＶ−ＳＬＰ６２０に送信する（Ｓ６０３）。
【０１６４】
ＲＬＰ  ＳＲＬＩＲメッセージを受信するやいなや、Ｖ−ＳＬＰ６２０は、ＲＬＰ  ＳＲＬＩＲメッセージを通じて第１ＳＥＴ６００の計算されない位置情報をＨ−ＳＬＣ６１１に送信する（Ｓ６０４）。
【０１６５】
Ｈ−ＳＬＣ６１１は第１ＳＥＴ６００とのセッションに使用するｓｅｓｓｉｏｎ−ｉｄを生成して、Ｈ−ＳＰＣ６１２に生成したｓｅｓｓｉｏｎ−ｉｄ情報、計算されない第１ＳＥＴのｉｄ情報、位置計算方法情報及び位置追跡プロトコル情報などを伝達して、第１ＳＥＴ６００と関連される位置追跡セッションの開始を知らせる（Ｓ６０５）。
【０１６６】
Ｈ−ＳＬＣ６１１はＳＵＰＬ  ＲＥＳＰＯＮＳＥメッセージ（ｓｅｓｓｉｏｎ−ｉｄ情報、Ｖ−ＳＰＣ住所情報、ＳＥＴ  ａｕｔｈ−ｋｅｙ情報及びｋｅｙ−ｉｄ４情報などを含み）を第１ＳＥＴ６００に送信して、第１ＳＥＴ６００にサービス要請許諾を知らせて、位置追跡セッションの開始を知らせる。言い替えると、第１ＳＥＴ６００がＨ−ＳＰＣ６１２と位置追跡セッションを開始できるようにするためにＨ−ＳＬＣ６１１はＳＵＰＬ
ＲＥＳＰＯＮＳＥメッセージにＨ−ＳＰＣ住所情報を含んで送信する（Ｓ６０６）。
【０１６７】
Ｈ−ＳＰＣ住所情報を含んだＳＵＰＬ  ＲＥＳＰＯＮＳＥメッセージをＨ−ＳＬＣ６１１から受信するやいなや、第１ＳＥＴ６００はＨ−ＳＬＣ６１１との連結を解止して、Ｈ−ＳＰＣ６１２にＳＵＰＬ  ＰＯＳ  ＩＮＩＴメッセージ（ｓｅｓｓｉｏｎ−ｉｄ情報、ｌｉｄ情報、ＳＥＴ  ｃａｐａｂｉｌｉｔｙ情報などを含み）を送信して実際位置追跡セッションを開始する。この時、Ｈ−ＳＰＣ６１２Ｈ−ＳＬＣ６１１に第１ＳＥＴ６００との位置追跡セッションの開始を知らせる（Ｓ６０７）。
【０１６８】
ＳＵＰＬ  ＰＯＳ  ＩＮＩＴメッセージを受信するやいなや、Ｈ−ＳＰＣ６１２と第１
ＳＥＴ６００は多様な位置計算方法（例えば、ＳＥＴ−Ａｓｓｉｓｔｅｄ  Ａ−ＧＰＳ方法、ＳＥＴ−Ｂａｓｅｄ  Ａ−ＧＰＳ方法、Ｃｅｌｌ−ｉｄ方法など）と、多様な位置追跡プロトコル（ＧＳＭ：ＲＲＬＰ、３ＧＰＰ：ＲＲＣ、及び３ＧＰＰ２：ＴＩＡ−８０１）にしたがって第１ＳＥＴ６００の位置情報を計算して、前記第１ＳＥＴ６００の位置情報を獲得する（Ｓ６０８）。この時、Ｈ−ＳＰＣ６１２と第１ＳＥＴ６００との間に通信される位置追跡プロトコルメッセージは、ＳＵＰＬ  ＰＯＳメッセージにカプセル化されて前記位置情報プロトコルメッセージを含んだＳＵＰＬ  ＰＯＳメッセージの送受信が遂行される。
【０１６９】
前記段階（Ｓ６０８）で第１ＳＥＴ６００の位置情報が計算されて獲得されると、Ｈ−ＳＰＣ６１２はＳＵＰＬ  ＥＮＤメッセージ（ｓｅｓｓｉｏｎ−ｉｄ情報及びｐｏｓｒｅｓｕｌｔ情報含み）を前記第１ＳＥＴ６００に送信して、前記第１ＳＥＴ６００に位置追跡サービスのＳＵＰＬセッションの終了を知らせる（Ｓ６０９）。
【０１７０】
Ｈ−ＳＬＰ６１０とＮ−ＳＬＰ６３０が同一な第１場合とＨ−ＳＬＰ６１０とＮ−ＳＬＰ６３０がお互いに異なる第２場合は段階（Ｓ６０９）から過程が変わって、以下で前記第１及び第２場合が説明される。
【０１７１】
Ｈ−ＳＬＰ６１０とＮ−ＳＬＰ６３０がお互いに異なる場合に、Ｈ−ＳＬＰ６１０は計算された位置情報（ｐｏｓｒｅｓｕｌｔ）を含んだＳＵＰＬ  ＰＯＳ  ＮＯＴＩＦＩＣＡＴＩＯＮメッセージをＲＬＰ  ＳＳＲＰメッセージにカプセル化してＮ−ＳＬＰ６３０にトンネリングする（Ｓ６１０）。
【０１７２】
Ｎ−ＳＬＰ６３０は受信したＲＬＰ  ＳＳＲＰメッセージをカプセル開放して、計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ６４０に送信する（Ｓ６１１）。この時、ＳＵＰＬ  ＰＯＳ
ＮＯＴＩＦＩＣＡＴＩＯＮメッセージはＳＵＰＬ  ＩＮＩＴメッセージの送信方式と同一な送信方式を使用することができるし、計算された位置情報（ｐｏｓｒｅｓｕｌｔ）を含んだ他の形態がＳＵＰＬ  ＰＯＳ  ＮＯＴＩＦＩＣＡＴＩＯＮメッセージで使用されることもできることは当業者に自明な事実である。
【０１７３】
反面に、Ｈ−ＳＬＰ６１０とＮ−ＳＬＰ６３０が同一な場合に、Ｈ−ＳＬＰ６１０は計算された位置情報（ｐｏｓｒｅｓｕｌｔ）を含んだＳＵＰＬ  ＰＯＳ  ＮＯＴＩＦＩＣＡＴＩＯＮメッセージを第２ＳＥＴ６４０に送信することができる。
【０１７４】
図６Ｂは、本発明の望ましい第１２実施例による位置情報送信方法を示す構想図である。
【０１７５】
図６Ａに示す位置情報送信方法と比べて、第１ＳＥＴ６００がＳＵＰＬ  ＳＴＡＲＴメッセージをＨ−ＳＬＣ６１１に送信する段階（Ｓ＾０１）で前記ＳＵＰＬ  ＳＴＡＲＴメッセージに含まれた情報のみに差がある。よって、説明の便宜のために図６ＢのＳ６０１段階のみが説明される。図６Ａで説明した位置情報送信方法のための多くの段階らが図６Ｂの実施例にも適用可能であることは当業者に自明な事実である。
【０１７６】
第１ＳＥＴ６００は、位置追跡手続きを開始するためにＳＵＰＬ  ＳＴＡＲＴメッセージをＨ−ＳＬＣ６１１に送信する。この時、第１ＳＥＴ６００はＨ−ＳＬＰ６１０に第２ＳＥＴ６４０の位置情報を要請するか、または前記第１ＳＥＴ６００自分の位置情報を第２ＳＥＴ６４０に送ることを要請する（Ｓ６０１）。前記要請作業のために、前記ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、ＳＥＴ  ＩＤ情報及びＡＣＫモード情報などを含むこと
ができる。
【０１７７】
例えば、位置追跡手続きを開始するＳＥＴが第１ＳＥＴ６００であり、前記第１ＳＥＴ６００によって要請されるｔａｒｇｅｔ  ＳＥＴが第２ＳＥＴ６４０である場合に、ｔａｒｇｅｔ  ＳＥＴ  ＩＤは第２ＳＥＴ６４０のＩＤであることがある。位置追跡手続きを開始するＳＥＴが第１ＳＥＴ６００であり、前記第１ＳＥＴ６００が自分の位置情報を送ることを願う第３部分が第２ＳＥＴ６４０である場合に、ｔｈｉｒｄ  ｐａｒｔｙ  ＩＤは第２ＳＥＴ６４０のＩＤであることがある。
【０１７８】
図７Ａないし図７Ｃは、本発明の望ましい第１３実施例による位置情報送信方法を示す構想図である。特に、ＳＬＰの間にＳＵＰＬプロトコルを使用する場合を例示的に示す。
【０１７９】
図７Ａないし図７Ｃの位置追跡システムは、位置追跡対象端末である第１ＳＥＴ７００と、ＨＮサーバーであるＨ−ＳＬＰ７１０と、第２ＳＥＴ７３０のネットワークに位置するＮ−ＳＬＰ７２０と、前記第１ＳＥＴ７００の位置情報を受信する第２ＳＥＴ７３０を含んで構成される。
【０１８０】
これと関連して、第２ＳＥＴ７３０のネットワークに位置したサーバーはＮ−ＳＬＰ７２０で定義されるが、論理的な個体として作用する前記Ｎ−ＳＬＰ７２０はＨ−ＳＬＰ７１０と同一であることもあり、相異であることもある。
【０１８１】
以下、図７Ａを参照してＳＬＰの間にＳＵＰＬプロトコルを利用して第１ＳＥＴ７００の位置情報を第２ＳＥＴ７３０に送信するための方法が説明される。
【０１８２】
第１ＳＥＴ７００はＳＵＰＬセッションを開始するためにデータ通信が可能になるようにデータリンク連結を移動通信ネットワークで設定する（Ｓ７１０）。
【０１８３】
データリンク連結を実行した以後に、第１ＳＥＴ７００は位置追跡手続きを開始するためにＳＵＰＬ  ＳＴＡＲＴメッセージをＨ−ＳＬＰ７１０に送信する。この時、第１ＳＥＴ７００はＨ−ＳＬＰ７１０に自分の位置情報を要請するか、または前記第１ＳＥＴ７００の位置情報を第２ＳＥＴ７３０に送信することを要請することができる（Ｓ７１１）。前記要請作業のために、前記ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、第１ＳＥＴ７００の位置情報が受信される第２ＳＥＴのＩＤを示すｎｏｔｉｆｉｅｄ  ＳＥＴ−ｉｄ情報、ＭＯモード情報、及びＡＣＫモード情報などを含むことができる。
【０１８４】
この時、前記ＭＯモード情報がタイプ１である場合に第１ＳＥＴ７００は自分の位置情報を第２ＳＥＴ７３０に送ることを要請する特定情報を含むことができる。前記ＡＣＫモード情報は第２ＳＥＴ７３０が第１ＳＥＴ７００の位置情報の受信を示す受信確認信号を前記第１ＳＥＴ７００に送信する必要があるかの可否を示す特定情報を含むことができる。
【０１８５】
仮に、前記ＡＣＫモード情報が第２ＳＥＴ７３０が第１ＳＥＴ７００の位置情報の受信を示す受信確認信号を前記第１ＳＥＴ７００に送信しなければならないということを示す場合に、第１ＳＥＴ７００の位置情報を受信した第２ＳＥＴ７３０は前記受信確認信号を第１ＳＥＴ７００に送信することができる。
【０１８６】
第２ＳＥＴ７３０の受信確認作業は下の段階（Ｓ７１８〜Ｓ７２０）を通じて遂行されることができる。
【０１８７】
第１ＳＥＴ７００からＳＵＰＬ  ＳＴＡＲＴメッセージを受信するやいなや、Ｈ−ＳＬＰ７１０は第１ＳＥＴ７００のローミング状態とＳＵＰＬプロトコル支援の可否を確認する。前記Ｈ−ＳＬＰ７１０は第２ＳＥＴ７３０に対する第１ＳＥＴ７００のプライバシー設定を検査して、前記第１ＳＥＴ７００のプライバシー設定によって第１ＳＥＴ７００に第２ＳＥＴ７３０での位置情報送信に対する通知をすることができる。
【０１８８】
悪意的応用から第１ＳＥＴ７００の印加された使用者を保護するために、Ｈ−ＳＬＰ７１０は第１ＳＥＴ７００のプライバシー設定にかかわらず第２ＳＥＴ７３０での位置情報送信と関連される通知信号を第１ＳＥＴ７００に送ることができる。
【０１８９】
Ｈ−ＳＬＰ７１０と第１ＳＥＴ７００はＳＵＰＬプロトコルに定義されたＳＥＴ−ｉｎｉｔｉａｔｅｄ位置追跡手続きを遂行する（Ｓ７１３）。
【０１９０】
第１ＳＥＴ７００の位置情報が前記段階（Ｓ７１３）で計算されて獲得されると、Ｈ−ＳＬＰ７１０は第２ＳＥＴ７３０のＨＮであるＮ−ＳＬＰ７２０にＳＵＰＬ  ＮＯＴＩＦＩＣＡＴＩＯＮ  ＲＥＱメッセージを送って、Ｎ−ＳＬＰ７２０に第１ＳＥＴ７００の位置情報を第２ＳＥＴ７３０に送ることを要請する。
【０１９１】
この時、ＳＵＰＬ  ＮＯＴＩＦＩＣＡＴＩＯＮ  ＲＥＱメッセージはｓｅｓｓｉｏｎ−ｉｄ情報、第１ＳＥＴ７００の位置情報を示すｐｏｓｒｅｓｕｌｔ情報、第１ＳＥＴ７００のＩＤを示すｔａｒｇｅｔ  ＳＥＴ−ｉｄ情報、及び第２ＳＥＴのＩＤを示すｎｏｔｉｆｉｅｄ  ＳＥＴ−ｉｄ情報などを含むことができる（Ｓ７１４）。
【０１９２】
Ｎ−ＳＬＰ７２０はＳＵＰＬ  ＮＯＴＩＦＩＣＡＴＩＯＮ  ＲＥＱメッセージを受信して、第２ＳＥＴ７３０のローミング状態を確認し、第２ＳＥＴ７３０がＳＵＰＬプロトコル支援するかの可否を判断する（Ｓ７１５）。
【０１９３】
Ｎ−ＳＬＰ７２０はＳＵＰＬ  ＮＯＴＩＦＩＣＡＴＩＯＮ  ＲＥＱメッセージを第２ＳＥＴ７３０に送信して、第２ＳＥＴ７３０とのｎｏｔｉｆｉｃａｔｉｏｎセッションを開始する。この時、ＳＵＰＬ  ＮＯＴＩＦＩＣＡＴＩＯＮ  ＲＥＱメッセージはｓｅｓｓｉｏｎ−ｉｄ情報、第１ＳＥＴ７００の位置情報を示すｐｏｓｒｅｓｕｌｔ情報、第１ＳＥＴのＩＤを示すｔａｒｇｅｔ  ＳＥＴ−ｉｄ情報、ＳＵＰＬ  ＰＯＳ  ＮＩＴＩＦＩＣＡＴＩＯＮメッセージを認証するためのｋｅｙ−ｉｄ情報、ｍａｃ情報などを含むことができる（Ｓ７１６）。
【０１９４】
これと関連して、前記ＳＵＰＬ  ＰＯＳ  ＮＩＴＩＦＩＣＡＴＩＯＮメッセージは多くの方式（例えば、ＷＡＰ  ＰＵＳＨ及びＳＭＳ  Ｔｒｉｇｇｅｒなど）のうちいずれか一つの方式で送信されることができるし、これに対する説明は便宜上省略する。
【０１９５】
第２ＳＥＴ７３０はＳＵＰＬ  ＰＯＳ  ＮＩＴＩＦＩＣＡＴＩＯＮメッセージを受信して、データ通信が可能になるように移動通信ネットワークでデータリンク連結を設定する。ここで、受信されたＳＵＰＬ  ＰＯＳ  ＮＩＴＩＦＩＣＡＴＩＯＮメッセージがｋｅｙ−ｉｄ情報とｍａｃ情報を含んで、前記第２ＳＥＴ７３０が前記ＳＵＰＬ  ＰＯＳ  ＮＩＴＩＦＩＣＡＴＩＯＮメッセージを利用して認証メカニズムを支援する場合に、前記第２ＳＥＴ７３０はｋｅｙ−ｉｄ情報とｍａｃ情報を利用して受信されたＳＵＰＬ  ＰＯＳ  ＮＩＴＩＦＩＣＡＴＩＯＮメッセージを認証する（Ｓ７１７）。
【０１９６】
第２ＳＥＴ７３０はＳＵＰＬ  ＥＮＤメッセージをＮ−ＳＬＰ７２０に送信して、ＳＵＰＬ  ＰＯＳ  ＮＩＴＩＦＩＣＡＴＩＯＮメッセージの処理結果とｎｏｔｉｆｉｃａｔｉｏｎセッションの終了を知らせる。この時、前記段階（Ｓ７１１）でＳＵＰＬ  ＳＴＡＲ
ＴメッセージのＡＣＫモード情報が位置情報受信確認が必要なモードである場合には位置情報が送信された第２ＳＥＴ７３０は、位置情報受信確認をＳＵＰＬ  ＥＮＤメッセージに含んでＮ−ＳＬＰ７２０に送信する（Ｓ７１８）。
【０１９７】
Ｎ−ＳＬＰ７２０はＳＵＰＬ  ＮＯＴＩＦＩＣＡＴＩＯＮ  ＲＥＳＰメッセージをＨ−ＳＬＰ７１０に送信して、ｎｏｔｉｆｉｃａｔｉｏｎ要請の処理結果とセッションの終了を前記Ｈ−ＳＬＰ７１０に通知する。この時、前記Ｎ−ＳＬＰ７２０が第２ＳＥＴ７３０から位置情報受信確認を受信する場合に、位置情報受信確認信号をＳＵＰＬ  ＮＯＴＩＦＩＣＡＴＩＯＮ  ＲＥＳＰメッセージに含んでこれをＨ−ＳＬＰ７１０に送信する（Ｓ７１９）。
【０１９８】
Ｈ−ＳＬＰ７１０はＳＵＰＬ  ＥＮＤメッセージを第１ＳＥＴ７００に送信して位置情報送信結果とＳＵＰＬセッションの終了を前記第１ＳＥＴ７００に知らせる。この時、Ｈ−ＳＬＰ７１０がＮ−ＳＬＰ７２０から位置情報受信確認信号を受信する場合に、前記受信確認信号をＳＵＰＬ  ＥＮＤメッセージに含んで、これを第１ＳＥＴ７００に送信する（Ｓ７２０）。
【０１９９】
ＳＬＰの間にＲＬＰ（Ｒｏａｍｉｎｇ  Ｌｏｃａｔｉｏｎ  Ｐｒｏｔｏｃｏｌ）のＳＵＰＬローミングサービスを利用して第１ＳＥＴ７００の位置情報を第２ＳＥＴ７３０に送るための方法が図７Ｂを参照にして説明される。
【０２００】
図７Ａの手続きと比べて、図７Ｂの段階ら（Ｓ７３４、Ｓ７３８、Ｓ７３９）が図７Ａの段階ら（Ｓ７１４、Ｓ７１８、Ｓ７１９）と差があり、図７Ｂの残り段階らは図７Ａの段階らと同一であるので、以下では図７Ｂの前記段階ら（Ｓ７３４、Ｓ７３８、Ｓ７３９）だけを記載する。説明の便宜のために、段階（Ｓ７３４）が第１段階、段階（Ｓ７３８）が第２段階、段階（Ｓ７３９）が第３段階であると決定される。
【０２０１】
第１段階（Ｓ７３４）の場合に、第１ＳＥＴ７００の位置情報がＳＥＴ−ｉｎｉｔｉａｔｅｄ位置追跡手続きによって計算される。第１ＳＥＴ７００の位置情報が獲得されると、Ｈ−ＳＬＰ７１０はＳＵＰＬ  ＰＯＳ  ＮＯＴＩＦＩＣＡＴＩＯＮメッセージをＲＬＰ
ＳＳＲＰメッセージを通じて第２ＳＥＴのＨＮであるＮ−ＳＬＰ７２０に送って、第１ＳＥＴ７００の位置情報を第２ＳＥＴ７３０に送ることを前記Ｎ−ＳＬＰ７２０に要請する。
【０２０２】
この時、ＳＵＰＬ  ＰＯＳ  ＮＯＴＩＦＩＣＡＴＩＯＮメッセージはｓｅｓｓｉｏｎ−ｉｄ情報、第１ＳＥＴ７００の位置情報を示すｐｏｓｒｅｓｕｌｔ情報、第１ＳＥＴのＩＤを示すｔａｒｇｅｔ  ＳＥＴ−ｉｄ情報、ＳＵＰＬ  ＰＯＳ  ＮＯＴＩＦＩＣＡＴＩＯＮメッセージを認証するためのｋｅｙ−ｐａｄ情報、及びｍａｃ情報などを含む。
【０２０３】
第２段階（Ｓ７３８）の場合に、第２ＳＥＴ７３０はＳＵＰＬ  ＰＯＳ  ＮＯＴＩＦＩＣＡＴＩＯＮメッセージに対する処理結果をＳＵＰＬ  ＰＯＳ  ＮＯＴＩＦＩＣＡＴＩＯＮ  ＲＥＳＰメッセージを通じてＮ−ＳＬＰ７２０に知らせる。この時、ＳＵＰＬ  ＳＴＡＲＴメッセージのＡＣＫモード情報が位置情報受信確認が必要であるというモードである場合に、位置情報の送信を受けた第２ＳＥＴ７３０は位置情報受信確認信号をＳＵＰＬ
ＰＯＳ  ＮＯＴＩＦＩＣＡＴＩＯＮ  ＲＥＳＰメッセージに含んでこれをＮ−ＳＬＰ７２０に送信する。
【０２０４】
第３段階（Ｓ７３９）の場合に、Ｎ−ＳＬＰ７２０はＳＵＰＬ  ＰＯＳ  ＮＯＴＩＦＩＣＡＴＩＯＮ  ＲＥＳＰメッセージをＲＬＰ  ＳＳＲＰメッセージを通じてＨ−ＳＬＰ７１０に送る。この時、Ｎ−ＳＬＰ７２０が第２ＳＥＴ７３０から受信確認信号を受信する
場合に、前記位置情報受信確認信号をＳＵＰＬ  ＮＯＴＩＦＩＣＡＴＩＯＮ  ＲＥＳＰメッセージに含んでこれをＨ−ＳＬＰ７１０に送る。
【０２０５】
以下、ＳＬＰの間にＲＰＬのＳＲＬＲＣ（Ｓｔａｎｄａｒｄ  Ｒｏａｍｉｎｇ  Ｌｏｃａｔｉｏｎ  Ｒｅｐｏｒｔｉｎｇ  Ｓｅｒｖｉｃｅ）を利用して第１ＳＥＴ７００の位置情報を第２ＳＥＴ７３０に送るための方法が図７Ｃを参照にして説明される。
【０２０６】
図７Ｃは、図７Ａの手続きと比べて、図７Ｃの段階ら（Ｓ７５４、Ｓ７５８、Ｓ７５９）が図７Ａの段階ら（Ｓ７１４、Ｓ７１８、Ｓ７１９）と差があり、残り段階らは差がないので、以下では図７Ｃの前記段階ら（Ｓ７５４、Ｓ７５８、Ｓ７５９）だけが説明される。説明の便宜のために、段階（Ｓ７５４）が第４段階、段階（Ｓ７５８）が第５段階、段階（Ｓ７５９）が第６段階であると決定される。
【０２０７】
第４段階（Ｓ７５４）の場合に、第１ＳＥＴ７００の位置情報がＳＥＴ−ｉｎｉｔｉａｔｅｄ位置追跡手続きによって計算される。第１ＳＥＴ７００の位置情報が獲得されると、Ｈ−ＳＬＰ７１０はＳＵＰＬ  ＰＯＳ  ＮＯＴＩＦＩＣＡＴＩＯＮメッセージをＲＬＰ
ＳＲＬＲＥＰ（Ｒｏａｍｉｎｇ  Ｌｏｃａｔｉｏｎ  Ｐｒｏｔｏｃｏｌ  Ｓｔａｎｄａｒｄ  Ｒｏａｍｉｎｇ  Ｌｏｃａｔｉｏｎ  Ｒｅｐｏｒｔ）メッセージを通じて第２ＳＥＴのＨＮであるＮ−ＳＬＰ７２０に送って、第１ＳＥＴ７００の位置情報を第２ＳＥＴ７３０に送ることを前記Ｎ−ＳＬＰ７２０に要請する。
【０２０８】
第５段階（Ｓ７５８）の場合に、第２ＳＥＴ７３０はＳＵＰＬ  ＰＯＳ  ＮＯＴＩＦＩＣＡＴＩＯＮメッセージに対する位置追跡結果をＳＵＰＬ  ＰＯＳ  ＮＯＴＩＦＩＣＡＴＩＯＮ  ＲＥＳＰメッセージを通じてＮ−ＳＬＰ７２０に知らせる。この時、ＡＣＫモード情報が第２ＳＥＴ７３０が第１ＳＥＴ７００の位置情報を示す位置情報受信確認信号を送る必要があるというモードである場合に、位置情報を受信した第２ＳＥＴ７３０は位置情報受信確認信号をＳＵＰＬ  ＰＯＳ  ＮＯＴＩＦＩＣＡＴＩＯＮ  ＲＥＳＰメッセージに含んでこれをＮ−ＳＬＰ７２０に送信する。
【０２０９】
第６段階（Ｓ７５９）の場合に、Ｎ−ＳＬＰ７２０はＳＵＰＬ  ＰＯＳ  ＮＯＴＩＦＩＣＡＴＩＯＮ  ＲＥＳＰメッセージをＲＬＰ  ＳＲＬＲＡ（Ｒｏａｍｉｎｇ  Ｌｏｃａｔｉｏｎ  Ｐｒｏｔｏｃｏｌ  Ｓｔａｎｄａｒｄ  Ｒｏａｍｉｎｇ  Ｌｏｃａｔｉｏｎ  Ｒｅｐｏｒｔ  Ａｎｓｗｅｒ）メッセージを通じてＨ−ＳＬＰ７１０に送る。この時、Ｎ−ＳＬＰ７２０が第２ＳＥＴ７３０から受信確認信号を受信する場合に、前記位置情報受信確認信号をＲＬＰ  ＳＲＬＲＡメッセージに含んで受信確認信号を含んだ前記ＲＬＰ  ＳＲＬＲＡメッセージをＨ−ＳＬＰ７１０に送る。
【０２１０】
図８Ａないし図８Ｃは、本発明の望ましい第１４実施例による位置情報送信方法を示す構想図である。
【０２１１】
図８Ａないし図８Ｃは、図７Ａないし図７Ｃの位置情報送信方法と比べて、第１ＳＥＴ７００がＳＵＰＬ  ＳＴＡＲＴメッセージをＨ−ＳＬＰ７１０に送信する段階（Ｓ８１１、Ｓ８３１またはＳ８５１）で前記ＳＵＰＬ  ＳＴＡＲＴメッセージに含まれた情報のみに差がある。よって、説明の便宜のために図８Ａないし図８Ｃの段階（Ｓ８１１、Ｓ８３１またはＳ８５１）だけを記載する。図７Ａないし図７Ｃの位置情報送信方法のための多くの段階らが図８Ａないし図８Ｃの望ましい実施例にも適用可能であることは当業者に自明である。
【０２１２】
第１ＳＥＴ７００は位置追跡手続きを開始するためにＳＵＰＬ  ＳＴＡＲＴメッセージをＨ−ＳＬＰ７１０に送信する（Ｓ８１１、Ｓ８３１またはＳ８５１）。この時、第１Ｓ
ＥＴ７００はＨ−ＳＬＰ７１０に第２ＳＥＴ７３０の位置情報を要請するか、または第１ＳＥＴ７００自分の位置情報を第２ＳＥＴ７３０に送ることを要請する（Ｓ８１１、Ｓ８３１またはＳ８５１）。
【０２１３】
前記要請作用のために、ＳＵＰＬ  ＳＴＡＲＴメッセージはｓｅｓｓｉｏｎ−ｉｄ情報、ｌｉｄ情報、ｑｏｐ情報、ＳＥＴ  ｃａｐａｂｉｌｉｔｙ情報、ＳＥＴ  ＩＤ情報及びＡＣＫモード情報などを含むことができる。
【０２１４】
例えば、位置追跡手続きを開始するＳＥＴが第１ＳＥＴ７００であり、前記第１ＳＥＴ７００が位置情報を獲得することを願うｔａｒｇｅｔ  ＳＥＴが第２ＳＥＴ７３０である場合に、Ｔａｒｇｅｔ  ＳＥＴ  ＩＤは第２ＳＥＴ７３０のＩＤになることができる。言い替えると、Ｔａｒｇｅｔ  ＳＥＴ  ＩＤは第２ＳＥＴ７３０のＩＤになることができる。位置追跡手続きを開始するＳＥＴが第１ＳＥＴ７００であり、前記第１ＳＥＴ７００が自分の位置情報を送ることを願う第３の部分が第２ＳＥＴ７３０である場合に、ＳＥＴ  ＩＤは第２ＳＥＴ７３０のＩＤになることができる。言い替えると、ｔｈｉｒｄ  ｐａｒｔｙ  ＩＤは第２ＳＥＴ７３０のＩＤになることができる。
【０２１５】
以下、メッセージに対する詳細な記載が図９ないし図１７を参照して説明される。下のメッセージは図１Ａないし図８Ｃに示す実施例だけでなく、他の実施例にも適用することができる。
【０２１６】
図９は、本発明による位置情報送信方法の場合に端末とサーバーとの間に通信される送受信メッセージ内に共通で含まれたコモンパート（Ｃｏｍｍｏｎ  Ｐａｒｔ）を例示的に示す。例えば、コモンパートはメッセージヘッダー（ｍｅｓｓａｇｅ  ｈｅａｄｅｒ）で考慮されることができる。
【０２１７】
オクテット（ｏｃｔｅｔｓ）らで構成されたコモンパートは、メッセージの長さを示す“Ｍｅｓｓａｇｅ  Ｌｅｎｇｔｈ”パラメーターと、ＵＬＰプロトコルのバージョンをメージャー（Ｍａｊｏｒ）、マイナー（Ｍｉｎｏｒ）またはサービスインジケーター（Ｓｅｒｖｉｃｅ  Ｉｎｄｉｃａｔｏｒ）の形態で示す“Ｖｅｒｓｉｏｎ”パラメーターと、メッセージ特有のセッションＩＤを示す“Ｓｅｓｓｉｏｎ−ｉｄ”パラメーターと、ＵＬＰで定義したメッセージのうちで一つを含む“Ｍｅｓｓａｇｅ  Ｐａｙｌｏａｄ”パラメーターを含むことができる。ここで、“Ｓｅｓｓｉｏｎ−ｉｄ”パラメーターは位置追跡手続きを遂行することができるＳＥＴのＩＤ情報を含むことができる。特に、“Ｍｅｓｓａｇｅ  Ｐａｙｌｏａｄ”パラメーターで定義されたメッセージとしては、例えばＳＵＰＬ
ＩＮＩＴメッセージ、ＳＵＰＬ  ＳＴＡＲＴメッセージ、ＳＵＰＬ  ＲＥＳＰＯＮＳＥメッセージ、ＳＵＰＬ  ＰＯＳ  ＩＮＩＴメッセージ、ＳＵＰＬ  ＰＯＳメッセージ、ＳＵＰＬ  ＥＮＤメッセージ、ＳＵＰＬ  ＡＵＴＨ  ＲＥＱメッセージ、ＳＵＰＬ  ＡＵＴＨ  ＲＥＳＰメッセージ、ＳＵＰＬ  ＰＯＳ  ＮＯＴＩＦＩＣＡＴＩＯＮメッセージなどがある。
【０２１８】
図１０は本発明による初期化メッセージ（ＳＵＰＬ  ＩＮＩＴ）を例示的に示す。特に、図１０はＳＬＰで第１ＳＥＴに送信される初期化メッセージであるＳＵＰＬ  ＩＮＩＴメッセージを示す。
【０２１９】
前記ＳＵＰＬ  ＩＮＩＴメッセージは“Ｐｏｓｉｔｉｏｎｉｎｇ  Ｍｅｔｈｏｄ”パラメーターと、“Ｎｏｔｉｆｉｃａｔｉｏｎ”パラメーターと、“Ｓｅｓｓｉｏｎ  ＩＤ”パラメーターと、“Ｑｏｐ”パラメーターと、“ＳＬＰ  Ｍｏｄｅ”パラメーターと、“ＭＡＣ”パラメーターと、“Ｋｅｙ  Ｉｄｅｎｔｉｔｙ”パラメーターを含む。
【０２２０】
“Ｐｏｓｉｔｉｏｎｉｎｇ  Ｍｅｔｈｏｄ”パラメーターは、ＳＬＰによって要求された位置追跡技術を示す。“Ｎｏｔｉｆｉｃａｔｉｏｎ”パラメーターはＬＣＳ通知を遂行してプライバシー関連情報をＳＥＴに送る。“Ｓｅｓｓｉｏｎ  ＩＤ”パラメーターはＳＬＰ住所を含む。“Ｑｏｐ”パラメーターは要求されるポジションのクオリティを示す。“ＳＬＰ  Ｍｏｄｅ”パラメーターはＳＬＰモードがプロキシモードであるか、またはノン−プロキシモードであるかを示す。“ＭＡＣ”パラメーターは、ＳＵＰＬ  ＩＮＩＴメッセージのインテグリティプロテクション（Ｉｎｔｅｇｒｉｔｙ  Ｐｒｏｔｅｃｔｉｏｎ）のために使用されるメッセージ認証コードを含む。“Ｋｅｙ  Ｉｄｅｎｔｉｔｙ”パラメーターは前記ＭＡＣを確認するために使用されるキーに対する同一性情報を示す。
【０２２１】
“Ｓｅｓｓｉｏｎ  ＩＤ”パラメーターはノン−プロキシモードである場合にＳＰＣ住所を含む。“ＳＬＰ  Ａｄｄｒｅｓｓ”フィールドは、プロキシモードである場合には選択的フィールドやノン−プロキシモードである場合には必須フィールドである。前記ＳＬＰ  ＡｄｄｒｅｓｓはＳＥＴがＳＬＰまたはＳＰＣに連結される場合に安全なＩＰを構成するためにＳＥＴによって使用される住所である。
【０２２２】
図１１Ａは、本発明による開始メッセージ（ＳＵＰＬ  ＳＴＡＲＴ）の第１実施例を示す。特に、図１１Ａは第１ＳＥＴからＳＬＰに送信される開始メッセージであるＳＵＰＬ
ＳＴＡＲＴメッセージを例示的に示す。
【０２２３】
ＳＵＰＬ  ＳＴＡＲＴメッセージは“ＳＥＴ  ｃａｐａｂｉｌｉｔｉｅｓ”パラメーター、“Ｌｏｃａｔｉｏｎ  Ｉｄ”パラメーター、“ＱｏＰ”パラメーター、“Ｎｏｔｉｆｉｅｄ  ＳＥＴ  Ｉｄ”パラメーター、“ＭＯ  ｍｏｄｅ”パラメーター、及び“ＡＣＫ
ｍｏｄｅ”パラメーターなどを含むことができる。ここで、“ＭＯ  ｍｏｄｅ”パラメーターは端末開始位置要請モードで定義されることができるし、“ＡＣＫ  ｍｏｄｅ”パラメーターは位置情報受信確認モードで定義されることができる。
【０２２４】
“ＳＥＴ  ｃａｐａｂｉｌｉｔｉｅｓ”パラメーターは、コモンパートを除いたメッセージの特定部分を含んで、ＳＥＴの能力を意味する。“Ｌｏｃａｔｉｏｎ  Ｉｄ”パラメーターはＳＥＴのセル（ｃｅｌｌ）情報を意味する。“ＱｏＰ”パラメーターは要求されるポジションのクオリティを意味する。“Ｎｏｔｉｆｉｅｄ  ＳＥＴ  Ｉｄ”パラメーターは第１ＳＥＴの位置情報を受信する第２ＳＥＴのＩＤ値（Ｎｏｔｉｆｉｅｄ  ＳＥＴ  ｉｄｅｎｔｉｔｙ  ｖａｌｕｅ）を示す。“ＭＯ  ｍｏｄｅ”パラメーターは、位置追跡を要請するＳＥＴの位置要請モードを示す。前記“ＭＯ  ｍｏｄｅ”パラメーターはモードタイプがタイプ１であるか、またはタイプ２であるかを示す。タイプ２の情報は第３の部分に送信（Ｔｒａｎｓｆｅｒ  ｔｏ  ｔｈｅ  ｔｈｉｒｄ  ｐａｒｔｙ）タイプで定義されることができる。
【０２２５】
例えば、タイプ１情報は第１ＳＥＴが自分の位置情報を要請するモードを現わして、タイプ２情報は第１ＳＥＴが自分の位置情報を第２ＳＥＴに送信することを要請するモードを示すことができる。
【０２２６】
“ＡＣＫ  ｍｏｄｅ”パラメーターは第３部分である第２ＳＥＴが第１ＳＥＴの位置情報の受信を示す受信確認信号を前記第１ＳＥＴに送る必要があるかの可否を示す。“ＡＣＫ  ｍｏｄｅ”パラメーターは受信確認要請タイプと受信確認未要請タイプがあり得る。
【０２２７】
図１１Ｂは、本発明による開始メッセージ（ＳＵＰＬ  ＳＴＡＲＴ）の第２実施例示す。
【０２２８】
図１１Ｂを参照すると、ＳＵＰＬ  ＳＴＡＲＴメッセージは“ＳＥＴ  ｃａｐａｂｉｌ
ｉｔｉｅｓ”パラメーター、“Ｌｏｃａｔｉｏｎ  Ｉｄ”パラメーター、“ＱｏＰ”パラメーター、“ＳＥＴ  Ｉｄ”パラメーター、及び“ＡＣＫ  ｍｏｄｅ”パラメーターなどを含むことができる。
【０２２９】
図１１Ａと比べると、“ＳＥＴ  ＩＤ”パラメーターのみに対して記載する。“ＳＥＴ
ＩＤ”パラメーターはＳＥＴ  ＩＤ情報として“Ｔａｒｇｅｔ  ＳＥＴ  ＩＤ”情報と“Ｔｈｉｒｄ  ｐａｒｔｙ  ＩＤ”情報を含むことができる。位置要請を開始する特定ＳＥＴが他のターゲットＳＥＴの位置情報を希望する場合に、“Ｔａｒｇｅｔ  ＳＥＴ  ＩＤ”情報は前記他のターゲットＳＥＴのＩＤを示すことができる。“Ｔｈｉｒｄ  ｐａｒｔｙ  ＩＤ”情報は位置要請を開始する特定ＳＥＴが自分の位置情報を送ることを願う第３の部分のＩＤを示すことができる。このような場合に、前記第３の部分は端末で具現されるが、端末以外に他の例でも具現可能であることを主旨しなければならない。
【０２３０】
図１１Ｃは本発明による開始メッセージ（ＳＵＰＬ  ＳＴＡＲＴ）のパラメーターを例示的に示す。
【０２３１】
図１１Ｃを参照すると、“ＳＥＴ  ＩＤ”パラメーターはＳＥＴ  ＩＤが“ＳＥＴｔｏＳＥＴ”である場合や、または“ＳＥＴｔｏＴｈｉｒｄＰａｒｔｙ”である場合を示す。ＳＥＴ  ＩＤが“ＳＥＴｔｏＳＥＴ”である場合に、“ＳＥＴ  ＩＤ”パラメーターは“Ｔａｒｇｅｔ  ＳＥＴ  ＩＤ”情報を含む。ＳＥＴ  ＩＤが“ＳＥＴｔｏＴｈｉｒｄＰａｒｔｙ”である場合に、“ＳＥＴ  ＩＤ”パラメーターはＴｈｉｒｄ  ｐａｒｔｙ  ＩＤ情報とＴｈｉｒｄ  Ｐａｒｔｙ  Ｎａｍｅ  Ｔｙｐｅ情報を含むことができる。
【０２３２】
位置要請を開始する特定ＳＥＴが他のターゲットＳＥＴの位置情報を希望する場合に、“Ｔａｒｇｅｔ  ＳＥＴ  ＩＤ”情報は他のターゲットＳＥＴ  ＩＤを示すことができる。この時、前記他のターゲットＳＥＴは第２ＳＥＴに該当する。
【０２３３】
“Ｔｈｉｒｄ  ｐａｒｔｙ  ＩＤ”パラメーターは、Ｔｈｉｒｄ  ｐａｒｔｙ  ＩＤ情報を示すことができる。前記“Ｔｈｉｒｄ  ｐａｒｔｙ  ＩＤ”パラメーターは“Ｔｈｉｒｄ  Ｐａｒｔｙ  Ｎａｍｅ”及び“Ｔｈｉｒｄ  Ｐａｒｔｙ  Ｎａｍｅ  Ｔｙｐｅ”のうちいずれか一つを含むことができる。“Ｔｈｉｒｄ  Ｐａｒｔｙ  Ｎａｍｅ”は第３部分ネームを示すことができる。“Ｔｈｉｒｄ  Ｐａｒｔｙ  Ｎａｍｅ  Ｔｙｐｅ”は第２部分ネームのタイプを示すことができる。例えば、第３部分ネームのタイプはＬｏｇｉｃａｌ  ｎａｍｅ、ＭＳＩＳＤＮ、Ｅ−ｍａｉｌ  ａｄｄｒｅｓｓ、ＵＲＬ、ＳＩＰＵＲＬ、ＩＭＳ  ｐｕｂｌｉｃ  ｉｄｅｎｔｉｔｙ、ＭＩＮ、及びＭＤＮのうちで一つに該当することができる。この時、第３部分は第２ＳＥＴで具現されることもできる。
【０２３４】
例えば、ＳＵＰＬ  ＳＥＴ  ＩＮＩＴメッセージは下のようなプログラム言語を有するものである。この時、“ｔｈｉｒｄ  ｐａｒｔｙ  ＩＤ”情報は選択的に三種類場合（すなわち、“ＳＥＴｔｏＳＥＴ”場合、“Ｔａｒｇｅｔ  ＳＥＴ  ＩＤ”場合、及び“ＳＥＴｔｏＴｈｉｒｄＰａｒｔｙ”場合）である。
【０２３５】
［プログラム言語］
ＳＵＰＬ−ＩＮＩＴ  ＤＥＦＩＮＩＴＩＯＮＳ  ＡＵＴＯＭＡＴＩＣ  ＴＡＧＳ：：＝
ＢＥＧＩＮ
ＥＸＰＯＲＴ  ＳＵＰＬＳＥＴＩＮＩＴ；
ＩＭＰＯＲＴＳ  ＳＥＴＩｄ、ＦｏｒｍａｔＩｎｄｉｃａｔｏｒ
ＦＲＯＭ  ＵＬＰ−Ｃｏｍｐｏｎｅｎｔｓ；
ＳＵＰＬＳＥＴＩＮＩＴ：：＝ＳＥＱＵＥＮＣＥ｛
ＳＥＴ  ＩＤ：：＝ＣＨＯＩＣＥ｛
ＳＥＴｔｏＳＥＴ      ｔａｒｇｅｔ  ＳＥＴ  ＩＤ、
ＳＥＴｔｏＴｈｉｒｄＰａｒｔｙＴｈｉｒｄ  ｐａｒｔｙ  ＩＤ、
…｝、
ＡｃｋＭｏｄｅ      ＡｃｋＭｏｄｅ、
…｝
Ｔａｒｇｅｔ  ＳＥＴ  ＩＤ      ＳＥＴＩｄ、−−Ｔａｒｇｅｔ  ＳＥＴｉｄ  ｉｄｅｎｔｉｆｉｅｓ  ｔｈｅ  ｔａｒｇｅｔ  ＳＥＴ  ｔｏ  ｂｅ  ｌｏｃａｔｅｄ
ｔｈｉｒｄ  ｐａｒｔｙ  ＩＤ：：＝ＳＥＱＵＥＮＣＥ｛
ｔｈｉｒｄＰａｒｔｙＮａｍｅ  ＯＣＴＥＴ  ＳＴＲＩＮＧ（ＳＩＺＥ
（１．．ｍａｘＴｈｉｒｄＰａｒｔｙＬｅｎｇｔｈ））、
ＴｈｉｒｄＰａｒｔｙＮａｍｅＴｙｐｅ  ＦｏｒｍａｔＩｎｄｉｃａｔｏｒ、
…｝
ＭａｘＴｈｉｒｄＰａｒｔｙＬｅｎｇｔｈ  ＩＮＴＥＧＥＲ：：＝５０
ＡＣＫＭｏｄｅ  ：：＝ＥＮＵＭＥＲＡＴＥＤ  ｛ａｃｋＲｅｑｕｉｒｅｄ  （０）、ａｃｋＮｏｔＲｅｑｕｉｒｅｄ（１）｝、…｝
ＥＮＤ
図１２は、本発明による回答メッセージ（ＳＵＰＬ  ＲＥＳＰＯＮＳＥ）を例示的に示す。特に、図１２は開始メッセージであるＳＵＰＬ  ＳＴＡＲＴメッセージに回答するＳＵＰＬ  ＲＥＳＰＯＮＳＥメッセージを図示する。
【０２３６】
図１２を参照すると、ＳＵＰＬ  ＲＥＳＰＯＮＳＥメッセージはコモンパートを除いたメッセージ特定部分を含む。ＳＵＰＬ  ＲＥＳＰＯＮＳＥメッセージの前記メッセージ特定部分は“Ｐｏｓｉｔｉｏｎｉｎｇ  Ｍｅｔｈｏｄ”パラメーターと、“ＳＬＰ  ａｄｄｒｅｓｓ”パラメーターと、“ＳＥＴ  Ａｕｔｈ  ｋｅｙ”パラメーターと、“Ｋｅｙ  Ｉｄｅｎｔｉｔｙ４”パラメーターを含む。前記“Ｐｏｓｉｔｉｏｎｉｎｇ  Ｍｅｔｈｏｄ”パラメーターはＳＵＰＬ  ＰＯＳセッションのために要求される位置追跡方法を示す。前記“ＳＬＰ  ａｄｄｒｅｓｓ”パラメーターは、ノン−プロキシモードのみのために要求されてＳＰＣ  ａｄｄｒｅｓｓを含む。“ＳＥＴ  Ａｕｔｈ  ｋｅｙ”パラメーターはノン−プロキシモードのみのために要求されて、ＳＥＴがＳＰＣ認証のために使用する認証キーを含む。“Ｋｅｙ  Ｉｄｅｎｔｉｔｙ４”パラメーターはキーアイデントティを含む。“ＳＬＰ  ａｄｄｒｅｓｓ”パラメーターのＳＬＰ住所はＳＥＴがＳＰＣにデータ連結設定する場合に使用されることができる。
【０２３７】
図１３は、本発明による位置追跡初期化メッセージ（ＳＵＰＬ  ＰＯＳ  ＩＮＩＴ）を例示的に示す。特に、図１３は位置追跡初期化メッセージのうちの一つであるＳＵＰＬ  ＰＯＳ  ＩＮＩＴメッセージを図示する。前記ＳＵＰＬ  ＰＯＳ  ＩＮＩＴメッセージはネットワークが稼動された場合にＳＵＰＬ  ＩＮＩＴメッセージに後に従うメッセージか、またはＳＥＴが稼動された場合にＳＵＰＬ  ＲＥＳＰＯＮＳＥメッセージに後に従うメッセージである。
【０２３８】
ＳＵＰＬ  ＰＯＳ  ＩＮＩＴメッセージは“ＳＥＴ  ｃａｐａｂｉｌｉｔｉｅｓ”パラメーターと、“Ｒｅｑｕｅｓｔｅｄ  Ａｓｓｉｓｔａｎｃｅ  Ｄａｔａ”パラメーターと
、“Ｌｏｃａｔｉｏｎ  ｉｄ”パラメーターと、“Ｐｏｓｉｔｉｏｎ”パラメーターと、“ＳＵＰＬ  ＰＯＳ”パラメーターと、“Ｖｅｒ”パラメーターなどを含む。
【０２３９】
前記“ＳＥＴ  ｃａｐａｂｉｌｉｔｉｅｓ”パラメーターはＳＥＴの能力を示す。“Ｒｅｑｕｅｓｔｅｄ  Ａｓｓｉｓｔａｎｃｅ  Ｄａｔａ”パラメーターは衛星航法装置（ｇｌｏｂａｌ  ｐｏｓｉｔｉｏｎｉｎｇ  ｓｙｓｔｅｍ）補助データを示す。“Ｌｏｃａｔｉｏｎ  ｉｄ”パラメーターはＳＥＴのセル情報を示す。“Ｐｏｓｉｔｉｏｎ”パラメーターはＳＥＴ位置を示す。“ＳＵＰＬＰＯＳ”パラメーターは位置追跡プロトコルがＳＥＴに第１メッセージを送信することを承諾する場合のみに使用されてＳＵＰＬ  ＰＯＳメッセージを含む。“Ｖｅｒ”パラメーターはＳＵＰＬ  ＩＮＩＴメッセージのハッシュ（ｈａｓｈ）を含む。これと関連して、前記“Ｖｅｒ”パラメーターはプロキシモード下で前記ＳＵＰＬ  ＩＮＩＴメッセージのハッシュを計算して、前記ハッシュ結果を含むことができる。
【０２４０】
前記ＳＵＰＬ  ＩＮＩＴメッセージが第１ＳＥＴからＳＬＰに送信されると、前記ＳＬＰは前記第１ＳＥＴと位置追跡メッセージを送受信する。第１ＳＥＴの位置追跡が終決されると、第１ＳＥＴの位置情報は第２ＳＥＴに送信される。以下、位置追跡メッセージであるＳＵＰＬ  ＰＯＳメッセージが説明される。
【０２４１】
図１４は、本発明による位置追跡メッセージ（ＳＵＰＬ  ＰＯＳ）を例示的に示す。特に、図１４は位置追跡メッセージであるＳＵＰＬ  ＰＯＳメッセージを例示的に示す。
【０２４２】
ＳＵＰＬ  ＰＯＳメッセージは“Ｐｏｓｉｔｉｏｎｉｎｇ  Ｐａｙｌｏａｄ”パラメーターと“Ｖｅｌｏｃｉｔｙ”パラメーターを含む。前記“Ｐｏｓｉｔｉｏｎｉｎｇ  Ｐａｙｌｏａｄ”パラメーターはＴＩＡ−８０１、ＲＲＬＰまたはＲＲＣ要素らを含む。“Ｖｅｌｏｃｉｔｙ”パラメーターはＲＲＬＰまたはＲＲＣ情報の不足を乗り越えるために必要なＳＥＴのベロシティー（ｖｅｌｏｃｉｔｙ）を含む。前記ＳＵＰＬ  ＰＯＳメッセージはＳＬＰと第１ＳＥＴとの間に通信されて、第１ＳＥＴの位置追跡を遂行する。
【０２４３】
図１５は、本発明による終了メッセージ（ＳＵＰＬ  ＥＮＤ）を例示的に示す。特に、図１５はＳＵＰＬ  ＥＮＤメッセージを例示的に示す。前記ＳＵＰＬ  ＥＮＤメッセージはＳＵＰＬセッションが正常にまたは非正常的に終決されるかの可否を示す。
【０２４４】
図１５を参照すると、ＳＵＰＬ  ＥＮＤメッセージは“Ｐｏｓｉｔｉｏｎ”パラメーターと、“Ｓｔａｔｕｓ  Ｃｏｄｅ”パラメーターと、“Ｖｅｒ”パラメーターを含む。前記“Ｐｏｓｉｔｉｏｎ”パラメーターはＳＥＴ位置結果を示す特定情報を含む。前記“Ｓｔａｔｕｓ  Ｃｏｄｅ”パラメーターはエラー表示または情報表示を示すために使用されて、メッセージ状態を示す特定情報を含む。前記“Ｖｅｒ”パラメーターはＳＥＴによって計算されたＳＵＰＬ  ＩＮＩＴメッセージのハッシュ（ｈａｓｈ）を含む。
【０２４５】
“Ｓｔａｔｕｓ  Ｃｏｄｅ”フィールドで、エラー表示は０〜９９の値を有することができるし、情報表示は１００〜１９９の値を有することができる。また、“Ｖｅｒ”パラメーターはプロキシモードとノン−プロキシモード下でＳＵＰＬ  ＥＮＤメッセージがＳＵＰＬ  ＩＮＩＴメッセージの直接回答メッセージとして役割をする場合に形成される多くの状況らを示すことができる。
【０２４６】
図１６は本発明による認証回答メッセージ（ＳＵＰＬ  ＡＵＴＨ  ＲＥＳＰ）を例示的に示す。特に、図１６はＳＵＰＬ  ＡＵＴＨ  ＲＥＳＰメッセージの一例を示す。
【０２４７】
図１６を参照すると、ＳＵＰＬ  ＡＵＴＨ  ＲＥＳＰメッセージはノン−プロキシモー
ドのネットワーク初期化場合に使用される。前記ＳＵＰＬ  ＡＵＴＨ  ＲＥＳＰメッセージはホームＳＬＣからＳＥＴに送信されて、ＳＥＴがＳＵＰＬセッション延長を承諾することを示す。
【０２４８】
ＳＵＰＬ  ＡＵＴＨ  ＲＥＳＰメッセージはＶ−ＳＰＣによって使用される認証キーとキーアイデントティを含んで、ＲＬＰメッセージ内でＶ−ＳＬＣにトンネリングする。
【０２４９】
ＳＵＰＬ  ＡＵＴＨ  ＲＥＳＰメッセージは“ＳＰＣ  Ａｕｔｈ  Ｋｅｙ”パラメーターと、“Ｋｅｙ  Ｉｄｅｎｔｉｔｙ  ３”パラメーターと、“Ｓｔａｔｕｓ  Ｃｏｄｅ”パラメーターを含む。
【０２５０】
前記“ＳＰＣ  Ａｕｔｈ  Ｋｅｙ”パラメーターはＳＥＴがＳＰＣを認証する場合に使用される認証キーを示す。前記“Ｋｅｙ  Ｉｄｅｎｔｉｔｙ  ３”パラメーターはＳＰＣ
Ａｕｔｈ  ｋｅｙが存在する場合に必要であり、キーアイデントティを含む。前記“Ｓｔａｔｕｓ  Ｃｏｄｅ”パラメーターはエラー表示または情報表示のために使用されて、メッセージ状態を示す特定情報を含む。
【０２５１】
“Ｓｔａｔｕｓ  Ｃｏｄｅ”パラメーターにおいて、エラー表示は０〜９９の値を有することができるし、情報表示は１００〜１９９の値を有することができる。ＳＵＰＬ  ＡＵＴＨ  ＲＥＳＰメッセージは認証失敗（ａｕｔｈＮｅｔＦａｉｌｕｒｅ）を示すため“Ｓｔａｔｕｓ  Ｃｏｄｅ”パラメーターを使用する。
【０２５２】
図１７は本発明による位置追跡通知メッセージ（ＳＵＰＬ  ＰＯＳ  ＮＯＴＩＦＩＣＡＴＩＯＮ）を例示的に示す。特に図１７はＳＵＰＬ  ＰＯＳ  ＮＯＴＩＦＩＣＡＴＩＯＮメッセージの一例を示す。
【０２５３】
図１７を参照すると、ＳＵＰＬ  ＰＯＳ  ＮＯＴＩＦＩＣＡＴＩＯＮメッセージは第１ＳＥＴの位置情報を第２ＳＥＴに送るためのメッセージ役割をして、“Ｐｏｓｉｔｉｏｎ”パラメーターと“Ｔａｒｇｅｔ  ＳＥＴ  Ｉｄ”パラメーターを含む。
【０２５４】
前記“Ｐｏｓｉｔｉｏｎ”パラメーターは第１ＳＥＴの位置結果を示す。“Ｔａｒｇｅｔ  ＳＥＴ  Ｉｄ”パラメーターは第１ＳＥＴのアイデントティ値を示す。
【０２５５】
本発明によると、端末がローミング状態と関係なくローミング場合とノン−ローミング場合すべてに適用可能であり、サーバーがプロキシモードとノン−プロキシモードすべてに適用されることができることを主旨しなければならない。
【０２５６】
本発明が属した技術分野の通常の知識を有した当業者が本発明の思想を脱しなくても多様な変形及び改造ができることは自明である。よって、本発明は添付された請求項及び同等物だけでなく、多くの変形及び改造も本発明の範囲に属する。
【産業上の利用可能性】
【０２５７】
前記記載から明確に分かるところのように、本発明による位置情報送信方法が特定端末が自分の位置情報を位置情報システムを利用して受信するようにするか、または特定端末が自分の位置情報を他の端末に送るようにして、前述した作用のための多様なメッセージを限定して、端末を通じた位置情報サービスが效果的に具現されることができる。
【図面の簡単な説明】
【０２５８】
【図１Ａ】Ａは、本発明の望ましい第１実施例による位置情報送信方法を示す概念図である。
【図１Ｂ】Ｂは、本発明の望ましい第２実施例による位置情報送信方法を示す概念図である。
【図２Ａ】Ａは、本発明の望ましい第３実施例による位置情報送信方法を示す概念図である。
【図２Ｂ】Ｂは、本発明の望ましい第４実施例による位置情報送信方法を示す概念図である。
【図３Ａ】Ａは、本発明の望ましい第５実施例による位置情報送信方法を示す概念図である。
【図３Ｂ】Ｂは、本発明の望ましい第６実施例による位置情報送信方法を示す概念図である。
【図４Ａ】Ａは、本発明の望ましい第７実施例による位置情報送信方法を示す概念図である。
【図４Ｂ】Ｂは、本発明の望ましい第８実施例による位置情報送信方法を示す概念図である。
【図５Ａ】Ａは、本発明の望ましい第９実施例による位置情報送信方法を示す概念図である。
【図５Ｂ】Ｂは、本発明の望ましい第１０実施例による位置情報送信方法を示す概念図である。
【図６Ａ】Ａは、本発明の望ましい第１１実施例による位置情報送信方法を示す概念図である。
【図６Ｂ】Ｂは、本発明の望ましい第１２実施例による位置情報送信方法を示す概念図である。
【図７Ａ】ＡないしＣは、本発明の望ましい第１３実施例による位置情報送信方法を示す概念図である。
【図７Ｂ】ＡないしＣは、本発明の望ましい第１３実施例による位置情報送信方法を示す概念図である。
【図７Ｃ】ＡないしＣは、本発明の望ましい第１３実施例による位置情報送信方法を示す概念図である。
【図８Ａ】ＡないしＣは、本発明の望ましい第１４実施例による位置情報送信方法を示す概念図である。
【図８Ｂ】ＡないしＣは、本発明の望ましい第１４実施例による位置情報送信方法を示す概念図である。
【図８Ｃ】ＡないしＣは、本発明の望ましい第１４実施例による位置情報送信方法を示す概念図である。
【図９】本発明による位置情報送信方法の場合において端末とサーバーとの間に電話が通じる送／受信メッセージに共通で含まれるコモンパート（Ｃｏｍｍｏｎ  Ｐａｒｔ）を例示的に示す図面である。
【図１０】本発明による初期化メッセージ（ＳＵＰＬ  ＩＮＩＴ）を例示的に示す図面である。
【図１１Ａ】Ａは、本発明による開始メッセージ（ＳＵＰＬ  ＳＴＡＲＴ）の第１実施例示す図面である。
【図１１Ｂ】Ｂは、本発明による開始メッセージの第２実施例示す図面である。
【図１１Ｃ】Ｃは、本発明による開始メッセージの変数を例示的に示す図面である。
【図１２】本発明による回答メッセージ（ＳＵＰＬ  ＲＥＳＰＯＮＳＥ）を例示的に示す図面である。
【図１３】本発明による位置追跡初期化メッセージ（ＳＵＰＬ  ＰＯＳ  ＩＮＩＴ）を例示的に示す図面である。
【図１４】本発明による位置追跡メッセージ（ＳＵＰＬ  ＰＯＳ）を例示的に示す図面である。
【図１５】本発明による終了メッセージ（ＳＵＰＬ  ＥＮＤ）を例示的に示す図面である。
【図１６】本発明による認証回答メッセージ（ＳＵＰＬ  ＡＵＴＨ  ＲＥＳＰ）を例示的に示す図面である。
【図１７】本発明による位置追跡通知メッセージを例示的に示す図面である。
【符号の説明】
【０２５９】
１００  第１ＳＥＴ
１１０  ＳＬＰ
１２０  第２ＳＥＴ
【図１Ａ】
2009503915.tif 000003
【図１Ｂ】
2009503915.tif 000004
【図２Ａ】
2009503915.tif 000005
【図２Ｂ】
2009503915.tif 000006
【図３Ａ】
2009503915.tif 000007
【図３Ｂ】
2009503915.tif 000008
【図４Ａ】
2009503915.tif 000009
【図４Ｂ】
2009503915.tif 000010
【図５Ａ】
2009503915.tif 000011
【図５Ｂ】
2009503915.tif 000012
【図６Ａ】
2009503915.tif 000013
【図６Ｂ】
2009503915.tif 000014
【図７Ａ】
2009503915.tif 000015
【図７Ｂ】
2009503915.tif 000016
【図７Ｃ】
2009503915.tif 000017
【図８Ａ】
2009503915.tif 000018
【図８Ｂ】
2009503915.tif 000019
【図８Ｃ】
2009503915.tif 000020
【図９】
2009503915.tif 000021
【図１０】
2009503915.tif 000022
【図１１Ａ】
2009503915.tif 000023
【図１１Ｂ】
2009503915.tif 000024
【図１１Ｃ】
2009503915.tif 000025
【図１２】
2009503915.tif 000026
【図１３】
2009503915.tif 000027
【図１４】
2009503915.tif 000028
【図１５】
2009503915.tif 000029
【図１６】
2009503915.tif 000030
【図１７】
2009503915.tif 000031
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
端末開始位置要請（ＭＯ）モード情報を含んだ開始メッセージを第１端末から受信する段階と、
前記第１端末の位置情報を計算する段階と、及び
前記端末開始位置要請モード情報によって計算された第１端末の位置情報を送信する段階と、を含むことを特徴とする位置情報送信方法。
【請求項２】
端末開始位置要請モード情報は、位置追跡を開始する第１端末が自分の位置情報を要請するタイプ１（Ｔｙｐｅ  １）モードと、位置追跡を開始する第１端末が自分の位置情報を第２端末に送ることを願うタイプ２（Ｔｙｐｅ  ２）モードのうちでいずれかひとつであることを特徴とする請求項１に記載の位置情報送信方法。
【請求項３】
端末開始位置要請モード情報がタイプ１モードである場合に、計算された第１端末の位置情報が第１端末に送信されることを特徴とする請求項１に記載の位置情報送信方法。
【請求項４】
端末開始位置要請モード情報がタイプ２モードである場合に、計算された第１端末の位置情報が第２端末に送信されることを特徴とする請求項１に記載の位置情報送信方法。
【請求項５】
端末開始位置要請モード情報がタイプ２モードである場合に、開始メッセージが第２端末のＩＤ（Ｉｄｅｎｔｉｆｉｅｒ）情報を含むことを特徴とする請求項１に記載の位置情報送信方法。
【請求項６】
端末開始位置要請モード情報がタイプ２モードである場合に、開始メッセージが位置情報受信確認モード情報（ＡＣＫ  ｍｏｄｅ  ｉｎｆｏｒｍａｔｉｏｎ）を含むことを特徴とする請求項１に記載の位置情報送信方法。
【請求項７】
第１端末が位置情報受信確認モード情報を利用して自分の位置情報の受信を示す位置情報受信確認信号を受信して要請する場合に、前記第１端末の位置情報を受信した第２端末が前記位置情報受信確認信号を前記第１端末に送信することを特徴とする請求項６に記載の位置情報送信方法。
【請求項８】
開始メッセージは、ユーザープレーン位置プロトコルメッセージであることを特徴とする請求項１に記載の位置情報送信方法。
【請求項９】
第１端末の位置情報を計算する段階は、位置計算方法と、第１端末とサーバーとの間に決定された位置追跡プロトコルを使用してて第１端末の位置情報を計算する段階を含むことを特徴とする請求項１に記載の位置情報送信方法。
【請求項１０】
サーバーがサーバー管理部と位置計算部を含んで、第１端末が前記位置計算部と直接通信して自分の位置情報を獲得する場合に、前記サーバー管理部は開始メッセージを受信して、前記位置計算部と第１端末との間に位置追跡を遂行して前記第１端末の位置情報を計算して、前記第１端末の位置情報を第２端末に送信することを特徴とする請求項９に記載の位置情報送信方法。
【請求項１１】
第１ＳＥＴ（ＳＵＰＬ  Ｅｎａｂｌｅｄ  Ｔｅｒｍｉｎａｌ）、ＳＬＰ（ＳＵＰＬ  Ｌｏｃａｔｉｏｎ  Ｐｌａｔｆｏｒｍ）、及び第２ＳＥＴのＳＵＰＬ（Ｓｅｃｕｒｅ  Ｕｓｅｒ  Ｐｌａｎｅ  Ｌｏｃａｔｉｏｎ）の位置情報送信方法において、
端末開始位置要請モード情報を含んだ開始メッセージを前記第１ＳＥＴから受信する段階と、
前記第１ＳＥＴの位置情報を計算する段階と、及び
前記端末開始位置要請モード情報によって計算された第１ＳＥＴの位置情報を第１ＳＥＴと第２ＳＥＴのうちでいずれか一つに送信する段階と、を含むことを特徴とする位置情報送信方法。
【請求項１２】
端末開始位置要請モード情報は、第１ＳＥＴが自分の位置情報を受信することを願うのか、または自分の位置情報を第２ＳＥＴに送信するのを願うかの可否を判断するための特定情報を含むことを特徴とする請求項１１に記載の位置情報送信方法。
【請求項１３】
端末開始位置要請モード情報が第１ＳＥＴが自分の位置情報を第２ＳＥＴに送信することを願うことを示す場合に、開始メッセージは第２ＳＥＴのＩＤ情報を含むことを特徴とする請求項１２に記載の位置情報送信方法。
【請求項１４】
開始メッセージは位置情報受信確認情報を含むことを特徴とする請求項１１に記載の位置情報送信方法。
【請求項１５】
第１ＳＥＴが位置情報受信確認モード情報を利用して自分の位置情報の受信を示す位置情報受信確認信号を受信しようとする場合に、第１ＳＥＴの位置情報を受信した第２ＳＥＴは位置情報受信確認信号を前記第１ＳＥＴに送信することを特徴とする請求項１４に記載の位置情報送信方法。
【請求項１６】
第１端末、第２端末、ホームサーバー及び訪問サーバーを含む通信環境の位置情報送信方法において、
位置追跡手続きを開始するために前記第１端末が開始メッセージを前記ホームサーバーに送信する段階と、
前記ホームサーバーが前記訪問サーバーを通じて第１端末の位置追跡を遂行する段階と、
前記第１端末の位置情報を計算して、計算された第１端末の位置情報を前記ホームサーバーに送信する段階と、及び
前記ホームサーバーが前記第１端末の位置情報を前記第２端末に送信する段階と、を含むことを特徴とする位置情報送信方法。
【請求項１７】
開始メッセージは第２端末のＩＤ情報と、端末開始位置要請モード情報を含むことを特徴とする請求項１６に記載の位置情報送信方法。
【請求項１８】
端末開始位置要請モード情報は、第１端末の自分の位置情報を第２端末に送信することを願うことを示す特定情報を含むことを特徴とする請求項１７に記載の位置情報送信方法。
【請求項１９】
開始メッセージは位置情報受信確認モード情報を含むことを特徴とする請求項１７に記載の位置情報送信方法。
【請求項２０】
訪問サーバーがサーバー管理部と位置計算部を含む場合に、前記訪問サーバーは前記位置計算部と第１端末との間に位置追跡手続きを遂行して第１端末の位置情報を獲得して、前記サーバー管理部は計算された第１端末の位置情報をホームサーバーに送信して前記ホームサーバーが第１端末の位置情報を第２端末に送信することを特徴とする請求項１７に記載の位置情報送信方法。
【請求項２１】
位置情報を受信したホームサーバーが第１端末の位置情報を第１端末に送信する段階をさらに含むことを特徴とする請求項１７に記載の位置情報送信方法。
【請求項２２】
第１端末、第２端末、ホームサーバー及び訪問サーバーを含む通信環境の位置情報送信方法において、
位置追跡手続きを開始するために前記第１端末が開始メッセージを前記ホームサーバーに送信する段階と、
開始メッセージを受信した前記ホームサーバーと前記第１端末との間に位置追跡手続きを遂行する段階と、前記第１端末の位置情報を獲得する段階と、及び
前記第１端末の位置情報を第２端末に送信する段階を含むことを特徴とする位置情報送信方法。
【請求項２３】
開始メッセージは第２端末のＩＤ情報と、端末開始位置要請モード情報を含むことを特徴とする請求項２２に記載の位置情報送信方法。
【請求項２４】
端末開始位置要請モード情報は第１端末が自分の位置情報を第２端末で送信要請することを示す特定情報を含むことを特徴とする請求項２３に記載の位置情報送信方法。
【請求項２５】
開始メッセージは位置情報受信確認モード情報を含むことを特徴とする請求項２２に記載の位置情報送信方法。
【請求項２６】
ホームサーバーがサーバー管理部と位置計算部を含む場合に、ホームサーバーは前記位置計算部と第１端末との間の位置追跡手続きを遂行して第１端末の位置情報を獲得して、計算された第１端末の位置情報を前記サーバー管理部に送信して、前記サーバー管理部が第１端末の位置情報を第２端末に送信することを特徴とする請求項２２に記載の位置情報送信方法。
【請求項２７】
第１端末、第２端末、ホームサーバー、通知サーバーを含む通信環境の位置情報送信方法において、
位置追跡手続きを開始するためにホームサーバーが開始メッセージを受信する段階と、
前記開始メッセージを受信したホームサーバーと第１端末との間に位置追跡手続きを遂行して第１端末の位置情報を獲得して、既に獲得した第１端末の位置情報を通知サーバーに送信する段階と、及び
前記第１端末の位置情報を受信した通知サーバーが第２端末で第１端末の位置情報を送信する段階と、を含む位置情報送信方法。
【請求項２８】
開始メッセージは位置情報が受信される第２端末のＩＤ情報を含むことを特徴とする請求項２７に記載の位置情報送信方法。
【請求項２９】
開始メッセージは端末開始位置要請モード情報を含んで、
前記端末開始位置要請モード情報は第２端末で第１端末自分の位置情報送信要請の特定情報を含むことを特徴とする請求項２７に記載の位置情報送信方法。
【請求項３０】
開始メッセージは位置情報受信確認モード情報を含むことを特徴とする請求項２７に記載の位置情報送信方法。
【請求項３１】
第１端末が位置情報受信確認モード情報を利用して位置情報受信確認を要請した場合に、位置情報を受信した第２端末は位置情報受信確認信号を第１端末に送信することを特徴とする請求項３０に記載の位置情報送信方法。
【請求項３２】
第１端末の位置情報と位置情報受信確認モード情報を受信する段階と、及び
前記位置情報受信確認モード情報が前記第１端末の位置情報受信確認信号を要請する場合に、前記位置情報受信確認信号を前記第１端末に送信する段階と、を含む位置情報送信方法。
【請求項３３】
第１端末の位置情報と位置情報受信確認モード情報は位置追跡通知メッセージを通じて受信されることを特徴とする請求項３２に記載の位置情報送信方法。
【請求項３４】
位置追跡通知メッセージはＳＵＰＬ  ＰＯＳ  ＮＯＴＩＦＩＣＡＴＩＯＮメッセージ、ＭＬＰ  ＳＬＲ、ＷＡＰ  ＰＵＳＨ、ＳＭＳメッセージのうちでいずれかひとつであることを特徴とする請求項３３に記載の位置情報送信方法。
【請求項３５】
第１端末からＳＥＴ  ＩＤ情報を含んだ開始メッセージを受信する段階と、
前記ＳＥＴ  ＩＤ情報によって第２端末の位置情報を計算する段階と、及び
前記計算された第２端末の位置情報を前記第１端末に送信する段階と、を含む位置情報送信方法。
【請求項３６】
ＳＥＴ  ＩＤ情報は第１端末が位置情報の受信を受けることを願う第２端末のＩＤ情報であることを特徴とする請求項３５に記載の位置情報送信方法。
【国際調査報告】
2009503915.tif 000032
2009503915.tif 000033
2009503915.tif 000034